(57)【要約】【課題】リトライ処理の実行後に、第一可動体と第二可動体がいずれも初期位置に配置され易い遊技機を提供する。【解決手段】右昇降復帰処理は、右装飾体が作動位置（上下方向における初期位置）にない場合に開始される処理である。右装飾体と駆動連結する右昇降モータが逆転駆動した場合において、右装飾体が正常に上昇しないと（Ｓ２８１：ＮＯ）、左装飾体が作動位置にあるかないかに関わらず、リトライ処理（Ｓ２９９）が実行される。より詳細にはリトライ処理の昇降逆転リトライ処理が実行され、昇降逆転リトライ処理では、作動位置から外れている右装飾体が作動位置に向けて上下動するのみならず、左装飾体も作動位置まで上下動する。【選択図】図３０
2019122433.tif 000002
【特許請求の範囲】
【請求項１】
遊技球が流下する遊技領域を備える遊技機であって、
互いに異なる第一可動体及び第二可動体と、
前記第一可動体と前記第二可動体とを移動させる駆動手段と、
前記第一可動体と連動する第一被検知体と、前記第二可動体と連動する第二被検知体とに対して、前記駆動手段の駆動に伴い相対変位する手段であって、前記第一被検知体が進入可能な第一検知領域と、前記第二被検知体が進入可能な第二検知領域とを有する検知手段と、
前記検知手段の検知結果に関する情報である検知情報に基づき前記駆動手段を駆動制御する手段であって、前記第一可動体が第一初期位置に配置される処理である特定処理を実行する復帰制御手段と、
前記検知手段の検知結果に関する情報である検知情報に基づき前記駆動手段を駆動制御する手段であって、前記復帰制御手段による前記特定処理が開始されても前記第一可動体が正常動作しなかった場合、前記第二可動体が第二初期位置にあるか否かに関わらず、前記第一可動体と前記第二可動体をそれぞれ移動させ、前記第一可動体を前記第一初期位置で停止させ、前記第二可動体を前記第二初期位置で停止させる処理である第一リトライ処理を実行するリトライ制御手段と
を備えることを特徴とする遊技機。
【請求項２】
前記第一可動体の可動範囲には、前記第二可動体の可動範囲に含まれる重複領域があり、
前記リトライ制御手段は、前記第一可動体が前記重複領域に進入する場合に、前記第一リトライ処理を実行することを特徴とする請求項１に記載の遊技機。
【請求項３】
前記リトライ制御手段は、前記復帰制御手段による前記特定処理の開始後、前記第一可動体が正常動作せず、前記第一可動体が前記重複領域に進入していない場合、前記第一可動体と前記第二可動体とのうちで前記第一可動体を移動させて前記第一初期位置で停止させる処理である第二リトライ処理を実行することを特徴とする請求項２に記載の遊技機。
【請求項４】
前記第一可動体を移動可能に支持すると共に、移動可能に設けられた第三可動体を備え、
前記駆動手段は、前記第三可動体を移動させ、
前記リトライ制御手段は、前記第一可動体を移動させる場合に、前記第三可動体を停止させることを特徴とする請求項１又は２に記載の遊技機。
【発明の詳細な説明】
【技術分野】
【０００１】
本発明は遊技機に関する。
【背景技術】
【０００２】
特許文献１に開示される遊技機は、左右一対のスライド扉と、左右一対の電動モータを備える。一対のスライド扉は、複数の可動体である。一対の電動モータはそれぞれ一対のスライド扉を左右動させる。
【先行技術文献】
【特許文献】
【０００３】
【特許文献１】特開２００８−２２０６９４号公報
【発明の概要】
【発明が解決しようとする課題】
【０００４】
上記遊技機において、一対の電動モータをそれぞれ駆動して左右一対のスライド扉を初期位置に配置させる特定処理を実行することが考えられる。しかし、特定処理が実行された後、一方のスライド扉は適正に初期位置に配置されるが、他方のスライド扉は何らかの不具合によって初期位置に配置されない場合がある。この場合、初期位置に配置されなかった他方のスライド扉に対応する電動モータのみを駆動するリトライ処理を実行することが考えられる。しかしながら、特定処理の実行により初期位置に配置されていたスライド扉が、リトライ処理の実行に伴い、初期位置から外れる可能性がある。従って、リトライ処理の実行後に、一対のスライド扉の少なくとも一方が初期位置に配置されない可能性がある。
【０００５】
本発明の目的は、リトライ処理の実行後に、第一可動体と第二可動体がいずれも初期位置に配置され易い遊技機を提供することである。
【課題を解決するための手段】
【０００６】
本発明の遊技機は、遊技球が流下する遊技領域を備える遊技機であって、互いに異なる第一可動体及び第二可動体と、前記第一可動体と前記第二可動体とを移動させる駆動手段と、前記第一可動体と連動する第一被検知体と、前記第二可動体と連動する第二被検知体とに対して、前記駆動手段の駆動に伴い相対変位する手段であって、前記第一被検知体が進入可能な第一検知領域と、前記第二被検知体が進入可能な第二検知領域とを有する検知手段と、前記検知手段の検知結果に関する情報である検知情報に基づき前記駆動手段を駆動制御する手段であって、前記第一可動体が第一初期位置に配置される処理である特定処理を実行する復帰制御手段と、前記検知手段の検知結果に関する情報である検知情報に基づき前記駆動手段を駆動制御する手段であって、前記復帰制御手段による前記特定処理が開始されても前記第一可動体が正常動作しなかった場合、前記第二可動体が第二初期位置にあるか否かに関わらず、前記第一可動体と前記第二可動体をそれぞれ移動させ、前記第一可動体を前記第一初期位置で停止させ、前記第二可動体を前記第二初期位置で停止させる処理である第一リトライ処理を実行するリトライ制御手段とを備えることを特徴とする。
【０００７】
上記構成によれば、遊技機が第一リトライ処理を実行する場合、第一初期位置から外れている第一可動体が第一初期位置に向けて移動するのみならず、第二可動体も第二初期位置まで移動する。従って、リトライ処理の実行後に、第一可動体と第二可動体がいずれも初期位置に配置され易い遊技機が実現する。
【０００８】
前記遊技機において、前記第一可動体の可動範囲には、前記第二可動体の可動範囲に含まれる重複領域があり、前記リトライ制御手段は、前記第一可動体が前記重複領域に進入する場合に、前記第一リトライ処理を実行してもよい。この場合、遊技機が第一リトライ処理を実行する場合に、第一リトライ処理の実行時に、停止している第二可動体によって第一可動体が移動を阻害される不具合が生じにくくなる。
【０００９】
前記リトライ制御手段は、前記復帰制御手段による前記特定処理の開始後、前記第一可動体が正常動作せず、前記第一可動体が前記重複領域に進入していない場合、前記第一可動体と前記第二可動体とのうちで前記第一可動体を移動させて前記第一初期位置で停止させる処理である第二リトライ処理を実行してもよい。この場合、復帰制御手段が特定処理を開始した後、リトライ制御手段は、第一可動体と第二可動体とをいずれも移動させる第一リトライ処理と、第一可動体と第二可動体とのうちで第一可動体のみを移動させる第二リトライ処理とを使い分ける。よって、遊技機は、第一可動体と第二可動体とをそれぞれ第一初期位置と第二初期位置とに配置させる処理をより多様化できる。
【００１０】
前記遊技機は、前記第一可動体を移動可能に支持すると共に、移動可能に設けられた第三可動体を備え、前記駆動手段は、前記第三可動体を移動させ、前記リトライ制御手段は、前記第一可動体を移動させる場合に、前記第三可動体を停止させてもよい。この場合、リトライ制御手段が第一可動体を移動させる場合、第三可動体が停止しているので、第一可動体は安定的に移動できる。
【図面の簡単な説明】
【００１１】
【図１】パチンコ機１の正面図である。
【図２】遊技盤２の正面図である。
【図３】演出装置３０の正面図である。
【図４】後側からみた演出装置３０の斜視図である（枠状筐体３３の図示省略）。
【図５】作動位置にある右装飾体３５を保持する右ロック機構１５０の斜視図である。
【図６】右装飾体３５が作動回転位置と初期回転位置の間にある演出装置３０の斜視図である（左装飾体３４等の図示省略）。
【図７】右回転機構８０の拡大斜視図である（右装飾体３５の一部省略）。
【図８】前側からみた右昇降機構１００の斜視図である。
【図９】右ラック１０５と右昇降体１０２の上下方向位置と、右昇降センサ１２４の検知状態との関係を示す模式図である。
【図１０】右ロック機構１５０の分解斜視図である。
【図１１】上端位置にある右装飾体３５を保持する右ロック機構１５０の斜視図である。
【図１２】制御部２０の電気ブロック図である。
【図１３】ＲＡＭ５８２の構成図である。
【図１４】第一演出処理のフローチャートである。
【図１５】第一演出処理が実行されるときの右装飾体３５と左装飾体３４の流れを示す説明図である。
【図１６】直動終了処理のフローチャートである。
【図１７】第二演出処理のフローチャートである。
【図１８】第二演出処理が実行されるときの右装飾体３５と左装飾体３４の流れを示す説明図である。
【図１９】直動開始処理のフローチャートである。
【図２０】昇降処理のフローチャートである。
【図２１】第三演出処理のフローチャートである。
【図２２】第三演出処理が実行されるときの右装飾体３５と左装飾体３４の流れを示す説明図である。
【図２３】自由落下処理のフローチャートである。
【図２４】回転処理のフローチャートである。
【図２５】電源投入処理のフローチャートである。
【図２６】復帰処理のフローチャートである。
【図２７】右復帰処理のフローチャートである。
【図２８】右装飾体３５が初期状態に復帰する第一の流れを説明する説明図である。
【図２９】右回転復帰処理Ａのフローチャートである。
【図３０】右昇降復帰処理のフローチャートである。
【図３１】右回転復帰処理Ｂのフローチャートである。
【図３２】右直動復帰処理Ａのフローチャートである。
【図３３】右直動復帰処理Ｂのフローチャートである。
【図３４】右装飾体３５が初期状態に復帰する第二の流れを説明する説明図である。
【図３５】右装飾体３５が初期状態に復帰する第三の流れを説明する説明図である。
【図３６】右装飾体３５が初期状態に復帰する第四の流れを説明する説明図である。
【図３７】右装飾体３５が初期状態に復帰する第五の流れを説明する説明図である。
【図３８】右装飾体３５が初期状態に復帰する第六の流れを説明する説明図である。
【図３９】リトライ処理のフローチャートである。
【図４０】図３９に続く、リトライ処理のフローチャートである。
【図４１】昇降正転リトライ処理のフローチャートである。
【図４２】昇降正転リトライ処理が実行されるときの右装飾体３５と左装飾体３４の流れを示す説明図である。
【図４３】昇降逆転リトライ処理のフローチャートである。
【図４４】昇降逆転リトライ処理が実行されるときの右装飾体３５と左装飾体３４の流れを示す説明図である。
【図４５】特定昇降リトライ処理のフローチャートである。
【図４６】回転正転リトライ処理のフローチャートである。
【図４７】回転正転リトライ処理が実行されるときの右装飾体３５と左装飾体３４の流れを示す説明図である。
【図４８】回転逆転リトライ処理のフローチャートである。
【図４９】回転逆転リトライ処理が実行されるときの右装飾体３５と左装飾体３４の流れを示す説明図である。
【図５０】右直動正転リトライ処理のフローチャートである。
【図５１】右直動正転リトライ処理が実行されるときの右装飾体３５と左装飾体３４の流れを示す説明図である。
【図５２】右直動逆転リトライ処理のフローチャートである。
【図５３】右直動逆転リトライ処理が実行されるときの右装飾体３５と左装飾体３４の流れを示す説明図である。
【発明を実施するための形態】
【００１２】
以下、本発明に係る遊技機の一実施の形態であるパチンコ機１について、図面を参照して説明する。
【００１３】
＜１．パチンコ機１の構造概要＞
図１および図２を参照して、パチンコ機１の機械的構成について説明する。図１に示すように、パチンコ機１の上半分の部分には遊技盤２が設けられている。遊技盤２は略正方形であり（図２参照）、透明なガラス板を保持したガラス枠１３によって前面を保護されている。遊技盤２の下方部には、発射機に金属製の遊技球を供給し、且つ賞球を受ける上皿５が設けられている。上皿５の直下には、賞球を受ける下皿６が設けられている。下皿６の右横には、遊技球の発射を調整する発射ハンドル７が設けられている。ガラス枠１３の上部の左右の角にはスピーカ４８がそれぞれ設けられている。
【００１４】
図２に示すように、遊技盤２の前面には、ガイドレール３で囲まれた略円形の遊技領域４が形成されている。発射機によって発射された遊技球は、遊技領域４内を流下する。遊技領域４の略中央には、ＬＣＤ（液晶ディスプレイ）等で構成される画像表示装置２８の表示画面２８Ａが後方から露出可能な表示開口８が設けられる。画像表示装置２８は、遊技者が大量の賞球を獲得可能な大当たり遊技を生起するか否かの大当たり判定の結果を報知するための特別図柄を表示する。パチンコ機１は、複数（本実施形態では３つ）の特別図柄を変動させた後に、大当たり判定の結果を示す特別図柄の組合せを確定表示させる報知演出を実行することで、大当たり判定の結果を遊技者に報知する。
【００１５】
表示開口８の右側には、普通図柄始動ゲート１２が設けられる。遊技球が普通図柄始動ゲート１２を通過すると、普通当たり判定が行われる。普通図柄始動ゲート１２の下方には、略箱状に形成されたアタッカー装置２５が設けられている。アタッカー装置２５は、案内流路、複数の大入賞口、遊技球を左方に向けて放出する放出口等を備える。複数の大入賞口は、大当たりの判定に伴って、所定のタイミングで開放される。このとき、アタッカー装置２５の内部を流下する遊技球は大入賞口に入賞可能となる。
【００１６】
表示開口８の下方には、上方から順に、第一特別図柄始動電動役物１４、第二特別図柄始動電動役物１６、及びアウト口１９が設けられている。第一特別図柄始動電動役物１４に遊技球が入賞することを契機として、第一特別図柄の大当たり判定が行われる。第二特別図柄始動電動役物１６は、普通当たり判定によって当たりと判定された場合に、入賞可能となる。第二特別図柄始動電動役物１６に遊技球が入賞することを契機として、第二特別図柄の大当たり判定が行われる。アウト口１９は、遊技領域４の下端まで流下した遊技球を回収し、遊技盤２の後側へ排出する。
【００１７】
遊技盤２の後側には、演出装置３０（図３参照）が設けられる。演出装置３０は、表示画面２８Ａよりも前側にある右装飾体３５、及び左装飾体３４を動作させる。パチンコ機１の背面側には、制御部２０（図１２参照）が設けられる。制御部２０は、パチンコ機１の各種の動作を制御する。制御部２０の詳細については後述する。
【００１８】
＜２．演出装置３０の構造＞
＜２−１．演出装置３０の構造概要＞
図３に示すように、演出装置３０は、枠状筐体３３、右演出装置３１、及び左演出装置３２を備える。右演出装置３１と左演出装置３２は、それぞれ、枠状筐体３３の右部と左部に取り付けられる。右演出装置３１と左演出装置３２は互いに略左右対称な構成である。
【００１９】
右演出装置３１は、右装飾体３５を動作させる装置である。右演出装置３１は、右スライド機構６０（図４参照）、右回転機構８０（図６参照）、右昇降機構１００（図８参照）、右ロック機構１５０（図８参照）を備える。右スライド機構６０は右装飾体３５を左右方向に移動させ、右回転機構８０は右装飾体３５を回転させ、右昇降機構１００は右装飾体３５を上下方向に移動させ、右ロック機構１５０は右装飾体３５を所定の高さ位置で保持する。
【００２０】
＜２−２．右スライド機構６０の構造＞
図３〜図５を参照し、右スライド機構６０の構成を説明する。図３〜図４に示すように、右スライド機構６０は、右直動モータ６３、右移動部材６８、右直動被検知物６７（図３参照）、右アーム６５、及び右回転被検知物６９（図４参照）を備える。右直動モータ６３は、枠状筐体３３の右下部に設けられる。右移動部材６８は、上下方向に延びる部材である。右移動部材６８は、上レール６４と枠状筐体３３の下部とによって、左右方向に移動可能に支持される。右移動部材６８の上端部６６は、左右方向に延びる。右直動被検知物６７（図３参照）は、上端部６６の左端部から上方に突出する板状である。右移動部材６８の前部は右装飾体３５を支持する。右アーム６５の一端部（基端部）は、枠状筐体３３に設けられた前後方向に沿う支持軸によって、回転可能に支持される。右アーム６５は、右直動モータ６３と駆動連結しており、右直動モータ６３の駆動力で支持軸を中心に回転する。右回転被検知物６９は、支持軸を中心とした径方向外側に右アーム６５から突出する板状である。
【００２１】
図５に示すように、右アーム６５の他端部（先端部）は、右移動部材６８に対して摺動可能に連結する。右直動モータ６３の駆動力で回転する右アーム６５は、右移動部材６８を左右動させる。本例では、右直動モータ６３が正転すると、右アーム６５は背面視で時計回りに回転し（図５の矢印Ｅ）、右直動モータ６３が逆転すると、右アーム６５は反対方向に回転する。右アーム６５が背面視時計回りに回転すると、右移動部材６８が左方へ移動し、右アーム６５が反対方向に回転すると右移動部材６８が右方へ移動する。以下、右移動部材６８が可動範囲右端にあるときの右装飾体３５の位置を離隔位置（図３参照）といい、右移動部材６８が可動範囲左端にあるときの右装飾体３５の位置を近接位置（図４参照）という。離隔位置は、右移動部材６８の左右方向における初期位置である。初期位置は、可動部材の位置を電子的に制御する際に必要となる原点位置（基準位置）である。パチンコ機１が正常に稼働した後にパチンコ機１の電源がＯＦＦになる場合、パチンコ機１が備える任意の可動部材は初期位置に配置される。
【００２２】
図６に示すように、右スライド機構６０は、右直動センサ６１と右近接センサ６２を備える。右直動センサ６１は枠状筐体３３の右下部に設けられ、右近接センサ６２は枠状筐体３３の左上部に設けられており、いずれのセンサも光学式のセンサである。右直動センサ６１と右近接センサ６２は、検知領域に被検知物が進入するとＯＮ状態になり、そうでない場合はＯＦＦ状態となる。右直動センサ６１の検知領域には右回転被検知物６９が進入可能であり、右近接センサ６２の検知領域には右直動被検知物６７が進入可能である。本例では、右回転被検知物６９が右直動センサ６１の検知領域に進入した瞬間から、右直動モータ６３が更に所定パルス分（例えば３０パルス分）逆転することで、右移動部材６８は離隔位置に到達する。このときも、右回転被検知物６９は右直動センサ６１の検知領域内にある。また、右直動被検知物６７が右近接センサ６２の検知領域に進入した瞬間から、右直動モータ６３が更に所定パルス分（例えば２８パルス分）正転することで、右移動部材６８は近接位置に到達する。このときも、右直動被検知物６７は右近接センサ６２の検知領域内にある。パチンコ機１は、右直動センサ６１と右近接センサ６２の検知結果に関する情報に基づいて、右装飾体３５の左右方向位置を検知できる。
【００２３】
以下では、右装飾体３５の左右方向位置を、右移動部材６８の左右方向位置（離隔位置、及び近接位置）と同様に定義して説明するものとする。離隔位置にある右装飾体３５は、図３等で示されており、近接位置にある右装飾体３５は、図７等で示される。
【００２４】
＜２−３．右回転機構８０の構造＞
図６、図７を参照し、右回転機構８０を説明する。右回転機構８０は、右支持体８２を備える。右支持体８２は、右移動部材６８に上下動可能に設けられた後述の右昇降体１０２（図８参照）に固定される。即ち、右支持体８２は、右移動部材６８に対して上下動可能に連結する。右支持体８２には、出力軸が前後方向に延びる右回転モータ８３と、光学式のセンサである右回転センサ８１（図１２参照）が固定される。右回転センサ８１は、検知領域に被検知物が進入するとＯＮ状態となり、それ以外の場合にはＯＦＦ状態となる。さらに、右支持体８２には、右回転体８５が設けられる。右回転体８５は、前後方向に延びる軸線を中心として回転可能である。右回転体８５には、右被検知物（図示略）が設けられる。右被検知物は、右回転体８５の軸線を基準として径方向外側に突出する板状体である。右回転体８５は右回転モータ８３と駆動連結する。本実施形態では、右回転モータ８３の出力軸に固定されたギヤ等を介して、右回転体８５は右回転モータ８３と駆動連結する。本実施形態では、右回転モータ８３が正転すると、右回転体８５は正面視で反時計回りに回転し、右回転モータ８３が逆転すると、右回転体８５は反対方向に回転する。
【００２５】
右回転体８５は、右装飾体３５を支持しており、右装飾体３５と共に一体的に回転する。右回転体８５は、可動範囲の一端となる初期回転位置（図７参照）と、可動範囲の他端となる作動回転位置（図２２（ｆ）参照）との間を回転する。右回転モータ８３が正転することで、右回転体８５は正面視で反時計回りに回転し、初期回転位置から作動回転位置まで回転する。初期回転位置は、右回転体８５の回転方向における初期位置である。
【００２６】
以下では、右装飾体３５の回転位置を、右回転体８５の回転位置（初期回転位置、及び作動回転位置）と同様に定義して説明するものとする。初期回転位置にある右装飾体３５は、図７等で示されており、作動回転位置にある右装飾体３５は、図２２（ｆ）等で示される。
【００２７】
右回転機構８０は、右回転センサ８１（図１２参照）を備える。右回転センサ８１は、右支持体８２に固定される。右回転センサ８１の検知領域には、右被検知物が進入可能である。より詳細には、右回転体８５が初期回転位置に向けて回転する場合、右被検知物が右回転センサ８１の検知領域に進入した瞬間から、右回転モータ８３が更に所定パルス分（例えば８パルス分）逆転することで、右回転体８５は初期回転位置に到達する。このときも右被検知物は右回転センサ８１の検知領域内にある。
【００２８】
＜２−４．右昇降機構１００の構造＞
図６、図８〜図９を参照し、右昇降機構１００を説明する。右昇降機構１００は、右昇降モータ１０３、右ラック１０５、下被検知物１０７、右昇降体１０２、及び上被検知物１０４を備える。
【００２９】
図６、図８に示すように、右昇降モータ１０３は、右移動部材６８の下端部に設けられ、右装飾体３５よりも後側にある。右ラック１０５は、右移動部材６８に形成された上下方向に長い長孔６８Ａに、上下動可能に設けられる。右ラック１０５は、基部１０５Ａ、連結部１０５Ｂ（図６参照）、及び歯部１０５Ｃ（図８参照）を備える。基部１０５Ａは、右移動部材６８に対して前方から対向する上下方向に長い板状体である。連結部１０５Ｂは、基部１０５Ａから後方に突出すると共に、長孔６８Ａに上下動可能に嵌る。従って、右ラック１０５は、長孔６８Ａによって上下動を案内される。本実施形態では、連結部１０５Ｂは、上下方向に沿って間隔を空けて複数設けられる。歯部１０５Ｃは上下方向に延び、歯車１０９と直接的に噛み合う。歯車１０９は、右移動部材６８に回転可能に設けられ、右昇降モータ１０３に駆動連結する。従って、右昇降モータ１０３が駆動すると、右ラック１０５は長孔６８Ａに沿って上下動する。本実施形態では、右昇降モータ１０３が正転すると右ラック１０５は下降し、右昇降モータ１０３が逆転すると右ラック１０５は上昇する。
【００３０】
本実施形態では、右ラック１０５と右昇降モータ１０３とを連結する構造として、継続駆動可能構造が採用される。継続駆動可能構造とは、モータの駆動力によって可動部材が動作する構造であって、モータが駆動し続けても可動部材が可動範囲の一端側に配置され続けることが可能となる構造を指し示す。右昇降機構１００では、右ラック１０５が可動範囲の上端側にある場合（図８参照）、右昇降モータ１０３の逆転に伴って歯車１０９は回転し続けるが、歯部１０５Ｃと噛み合う歯車１０９の歯が順次切り替わり続け、右ラック１０５は上下動を繰り返す。よって、右昇降モータ１０３が駆動し続けても、右ラック１０５が可動範囲の上端側に配置され続ける。つまり、歯車１０９と右ラック１０５の歯部１０５Ｃとが、右昇降機構１００の継続駆動可能構造に相当する。
【００３１】
下被検知物１０７は、一例として、右ラック１０５の基部１０５Ａの上端部と一体的に形成される。右昇降体１０２は、右ラック１０５の上方に位置し、右移動部材６８の長孔６８Ａに上下動可能に連結する。右昇降体１０２が長孔６８Ａに上下動可能に連結する構成は、右ラック１０５と同様である。右昇降体１０２は、右回転機構８０の右支持体８２の後面に固定される。従って、右支持体８２は、右昇降体１０２及び右装飾体３５と共に上下動可能である。
【００３２】
図９に示すように、右ラック１０５は、右昇降モータ１０３の駆動に伴い、最上位位置と最下位位置との間を、中間位置を経由して上下動する。最上位位置は、右ラック１０５の可動範囲上端である（図９（ｃ）参照）。最下位位置は、右ラック１０５の可動範囲下端である（図９（ｄ）参照）。中間位置は、最上位位置から僅かに下方となる位置である（図９（ａ）参照）。また、右昇降体１０２は、右ラック１０５の上下動に伴い、上端位置と下端位置との間を、作動位置を経由して上下動する。上端位置は、右昇降体１０２の可動範囲上端である（図９（ｃ）参照）。下端位置は、右昇降体１０２の可動範囲下端である（図９（ｅ）参照）。作動位置は、上端位置から僅かに下方となる位置である（図９（ａ）参照）。最上位位置にある右ラック１０５は、上端位置にある右昇降体１０２に接触する（図９（ｃ）参照）。中間位置にある右昇降体１０２は、作動位置にある右昇降体１０２に接触する（図８、図９（ａ）参照）。中間位置は右ラック１０５の上下方向における初期位置であり、作動位置は右昇降体１０２の上下方向における初期位置である。尚、右昇降体１０２は、作動位置にある場合及び上端位置にある場合に、後述の右ロック機構１５０（図１０参照）によって保持され、右ラック１０５は右昇降体１０２から下方に離隔できる（図９（ｂ）参照）。
【００３３】
図９に示すように、右昇降機構１００は、右落下センサ１２６と右上昇センサ１２５を更に備える。右落下センサ１２６と右上昇センサ１２５は、右移動部材６８に固定された光学式センサであり、下側から順に並んで設けられる。右落下センサ１２６と右上昇センサ１２５は、いずれも、検知領域に被検知物が進入した場合にＯＮ状態となり、それ以外の場合にはＯＦＦ状態となる。右落下センサ１２６の検知領域である下検知領域には、下被検知物１０７と上被検知物１０４が上下方向に通過可能である。一方、右上昇センサ１２５の検知領域である上検知領域には、下被検知物１０７は進入できず、上被検知物１０４のみが上下方向に通過可能である。
【００３４】
図９（ａ）、（ｅ）に示すように、右ラック１０５と右昇降体１０２がそれぞれ上昇する場合に、下被検知物１０７と上被検知物１０４は同時に下検知領域と上検知領域に進入する。その瞬間から更に右昇降モータ１０３が１５パルス分逆転することにより、右ラック１０５と右昇降体１０２は中間位置と作動位置に到達する（図９（ａ））。このときも、下被検知物１０７と上被検知物１０４はそれぞれ下検知領域内と上検知領域内とにある。その後、右昇降モータ１０３が更に逆転することで、下被検知物１０７と上被検知物１０４はそれぞれ同時に下検知領域と上検知領域とから上方に退出し、右ラック１０５と右昇降モータ１０３はそれぞれ最上位位置と上端位置とに到達する（図９（ｃ）参照）。図９（ｃ）〜（ｅ）に示すように、右昇降体１０２が上端位置から下端位置まで下降する場合、下被検知物１０７は上検知領域と下検知領域を順に通過する。パチンコ機１は、右落下センサ１２６と右上昇センサ１２５の検知結果を示す情報に基づき、右装飾体３５の上下位置を検知する。尚、右昇降モータ１０３が２１５パルス逆転することで、右装飾体３５は下端位置から作動位置まで上昇できる。
【００３５】
以下、右落下センサ１２６と右上昇センサ１２５を総称する場合に、右昇降センサ１２４と称し、右落下センサ１２６と右上昇センサ１２５がいずれもＯＮ状態である場合に、右昇降センサ１２４はＯＮ状態であるものとし、それ以外の場合では、右昇降センサ１２４はＯＦＦ状態であるものとする。
【００３６】
以下では、右装飾体３５の上下方向位置を、右昇降体１０２の上下方向位置（上端位置、下端位置、及び作動位置）と同様に定義して説明するものとする。上端位置にある右装飾体３５は図１８（ｃ）で示され、下端位置にある右装飾体３５は図２２（ｄ）で示され、作動位置にある右装飾体３５は、図１８（ａ）等で示される。
【００３７】
＜２−５．右ロック機構１５０の構造＞
図５、図１０、図１１を参照し、右ロック機構１５０の構成を説明する。右ロック機構１５０は、右装飾体３５を作動位置と上端位置のいずれかの位置で保持する機構である。右ロック機構１５０は、右移動部材６８の右上部に固定される。右ロック機構１５０は、右ソレノイド１５２、右ロック部材１５７、第一規制部１６１、第二規制部１６２、及び前カバー１５９を備える。
【００３８】
右ソレノイド１５２は右移動部材６８に設けられる。右ソレノイド１５２の駆動軸は上下方向に延び、右ロック部材１５７に連結する。右ソレノイド１５２のコイルバネであるソレノイドバネは、駆動軸を下方へ付勢する。
【００３９】
右ロック部材１５７は、前後方向に延びる軸線回りに回転可能であり、右移動部材６８に設けられる。右ロック部材１５７は右ソレノイド１５２の駆動力で回転する。右ロック部材１５７は保持部１５７Ｃ、当接部１５７Ｄ、先端凹部１５７Ｅ（図５参照）、及び先端１５７Ｆ（図５参照）を備える。保持部１５７Ｃは、右ロック部材１５７の上端部の一部を形成し、当接部１５７Ｄは右ロック部材１５７の上端部の他部を形成する。当接部１５７Ｄは、保持部１５７Ｃの左側で上方に突出する。先端凹部１５７Ｅは、上方に凹む凹部であり、右ロック部材１５７の右下部に設けられる。先端１５７Ｆは、右ロック部材１５７の右端であり、先端凹部１５７Ｅよりも右方にある。
【００４０】
第一規制部１６１と第二規制部１６２は、右回転体８５の右支持体８２の右上後部に設けられる。第一規制部１６１と第二規制部１６２は、上側から順に隙間１６３を空けて並ぶ。第一規制部１６１は、右支持体８２から左方に向けて突出する突部の下面である。第一規制部１６１が設けられた突部の上部には、前後方向に延びるリブである上凸部１６９が設けられる。第二規制部１６２は、右支持体８２から左方に突出する突部の下面であり、第一規制部１６１と略同一の形状である。第二規制部１６２が形成された突部の上部は、上端突起１６４である。第二規制部１６２は、上端位置にある右装飾体３５の保持部１５７Ｃに点接触可能である（図１１参照）。第一規制部１６１と第二規制部１６２との間にある隙間１６３には、ロック位置にある右ロック部材１５７の先端１５７Ｆが進入可能である。
【００４１】
前カバー１５９は、右移動部材６８に対して前方から取付けられる。前カバー１５９は位置決め部１５９Ａを備える。位置決め部１５９Ａは、右ロック部材１５７の当接部１５７Ｄの右方に位置する。当接部１５７Ｄが位置決め部１５９Ａに対して左方から接触可能である。
【００４２】
上記構成を有する右ロック機構１５０では、右ソレノイド１５２がＯＦＦの場合、ソレノイドバネの付勢力によって、右ロック部材１５７は、正面視で時計回りに付勢される。当接部１５７Ｄが位置決め部１５９Ａに左側から接触することで、右ロック部材１５７は、ロック位置（図５、図１１参照）で停止する。ロック位置にある右ロック部材１５７の保持部１５７Ｃには、第一規制部１６１又は第二規制部１６２が上方から点接触する。これにより、右ロック機構１５０は、初期位置又は上端位置にある右装飾体３５の落下を規制し保持する。尚、初期位置にある右装飾体３５を右ロック機構１５０が保持する場合（図５参照）、先端凹部１５７Ｅは上端突起１６４に対して上方から隙間を挟んで対向する。従って、右ロック機構１５０は、初期位置にある右装飾体３５が上昇するのを併せて規制する。
【００４３】
一方、右ソレノイド１５２がＯＮの場合、右ソレノイド１５２の駆動軸がソレノイドバネの付勢力に抗って可動範囲上端まで上昇し、右ロック部材１５７は、正面視で反時計回りに回転してロック解除位置（図示外）に到達する（図５の矢印Ｐ１）。ロック解除位置にある右ロック部材１５７は、右装飾体３５の可動範囲から左方に退出する。これにより、右ロック機構１５０は、初期位置又は上端位置にある右装飾体３５の上下動を許容する。
【００４４】
＜３．右装飾体３５の構造＞
図３に示すように、右装飾体３５は、右収容体３６、右開口部３９、及び右進入部３８を備える。右収容体３６は箱状であり、右回転体８５（図７参照）に固定される。右開口部３９と右進入部３８は、右収容体３６の上下方向中央部の後部に設けられる。右開口部３９は左方に向けて開放された開口部であり、右進入部３８は左方に向けて突出した板状である。本実施形態では、右開口部３９と右進入部３８が上側から順に交互に配置される。
【００４５】
＜４．左演出装置３２の構造＞
図３、図１２を参照し、左演出装置３２の構成の概略を説明する。右演出装置３１の説明で定義された各種部材の位置（離隔位置、近接位置、初期回転位置、作動回転位置、上端位置、作動位置、最上位位置、中間位置、等）については、左演出装置３２の説明においても同様に用いることにする。左演出装置３２は、左装飾体３４を動作させる装置である。左演出装置３２は、左スライド機構、左回転機構、左昇降機構、及び左ロック機構を備える。左スライド機構は左装飾体３４を左右方向に移動させ、左回転機構は左装飾体３４を回転させ、左昇降機構は左装飾体３４を上下方向に移動させ、左ロック機構は左装飾体３４を所定の高さ位置で保持する。
【００４６】
左スライド機構は、左直動モータ２６３、左移動部材、左直動被検知物、左アーム、左回転被検知物、左直動センサ２６１、及び左近接センサ２６２を備える。左移動部材は、左直動モータ２６３の駆動力で左装飾体３４を左右動させる。左直動モータ２６３が正転すると、左装飾体３４は近接位置に向けて右方に移動し、左直動モータ２６３が逆転すると、左装飾体３４は離隔位置に向けて左方に移動する。
【００４７】
左移動部材は、右移動部材６８と略同じ前後方向位置に設けられ左右動可能に支持される。左回転被検知物が左直動センサ２６１の検知領域に進入した瞬間から、左直動モータ２６３が更に所定パルス分（例えば３０パルス分）逆転することで、左装飾体３４は離隔位置に到達する。左直動被検知物は、左移動部材に設けられ、左被回転検知物は左アームに設けられる。左直動被検知物と左回転被検知物は、いずれも左装飾体３４の左右動と連動して移動する。左直動被検知物が左近接センサ２６２の検知領域に進入した瞬間から、左直動モータ２６３が更に所定パルス分（例えば２８パルス分）正転することで、左装飾体３４は近接位置に到達する。
【００４８】
左回転機構は、左回転体、左回転モータ２８３、左回転センサ２８１、左被検知物を備える。本例では、左被検知物が左回転センサ２８１の検知領域に進入した瞬間から更に所定パルス分（例えば８パルス分）逆転することで、左装飾体３４は初期回転位置に到達する。
【００４９】
左昇降機構は、左昇降モータ２０３、左ラック、下被検知物、左昇降体、上被検知物、左落下センサ２２６、左上昇センサ２２５を備える。以下、左落下センサ２２６と左上昇センサ２２５を総称する場合に、左昇降センサ２２４と称し、左落下センサ２２６と左上昇センサ２２５がいずれもＯＮ状態である場合に、左昇降センサ２２４はＯＮ状態であるものとし、それ以外の場合では、左昇降センサ２２４はＯＦＦ状態であるものとする。
【００５０】
左ロック機構は、左装飾体３４を作動位置と上端位置といずれかの位置で保持する。左ロック機構は、左ソレノイド２５２、左ロック部材を備える。左ソレノイド２５２がＯＮの場合、左ロック部材はロック解除位置に到達し、左ソレノイド２５２がＯＦＦの場合、左ロック部材はロック位置に到達する。
【００５１】
以下の説明では、左直動モータ２６３と右直動モータ６３を総称する場合に「直動モータ３６３」と称し、左回転モータ２８３と右回転モータ８３を総称する場合に「回転モータ３８３」と称し、左昇降モータ２０３と右昇降モータ１０３を総称する場合に「昇降モータ３０３」と称し、左ソレノイド２５２と右ソレノイド１５２を総称する場合に「ソレノイド３５２」と称する。また、右ラック１０５と左ラックを総称する場合に「ラック２０５」と称し、右昇降体１０２と左昇降体を総称する場合に「昇降体２０２」と称し、右ロック部材１５７と左ロック部材を総称する場合に「ロック部材２５７」と称す。
【００５２】
また、左近接センサ２６２と右近接センサ６２を総称する場合に「近接センサ３６２」と称し、左近接センサ２６２と右近接センサ６２がいずれもＯＮ状態である場合に、近接センサ３６２はＯＮ状態であるとする。また、左直動センサ２６１と右直動センサ６１を総称する場合に「直動センサ３６１」と称し、左直動センサ２６１と右直動センサ６１がいずれもＯＮ状態である場合に、直動センサ３６１はＯＮ状態であるとする。また、左回転センサ２８１と右回転センサ８１を総称する場合に「回転センサ３８１」と称し、左回転センサ２８１と右回転センサ８１がいずれもＯＮ状態である場合に、回転センサ３８１はＯＮ状態であるとする。また、左昇降センサ２２４と右昇降センサ１２４を総称する場合に「昇降センサ３２４」と称し、左昇降センサ２２４と右昇降センサ１２４がいずれもＯＮ状態である場合に昇降センサ３２４はＯＮ状態であるとする。
【００５３】
＜５．左装飾体３４の構造＞
図３、図８に示すように、左装飾体３４は、左収容体９６、左進入部９８、及び左開口部９９を備える。左収容体９６は箱状であり、左回転機構の左回転体に固定される。左進入部９８と左開口部９９は、左収容体９６の上下方向中央部の後部に、上側から設けられる。左進入部９８は、右方に向けて突出した板状である。左開口部９９は、右方に向けて開口した開口部である。左装飾体３４と右装飾体３５が近接位置にある場合、左進入部９８は右開口部３９に進入し、右進入部３８は左開口部９９に進入する。このとき、右装飾体３５の少なくとも一部は左装飾体３４の可動範囲に進入しており、右装飾体３５と左装飾体３４のいずれか一方が単独で回転移動又は上下動することはできない。
【００５４】
＜６．パチンコ機１の電気的構成の構造＞
図１２を参照し、パチンコ機１の制御部２０の電気的構成について説明する。制御部２０は、主基板４１、サブ制御基板５８、ランプドライバ基板４６、演出制御基板４３、払出制御基板４５、中継基板４７、及び電源基板４２を主に備える。
【００５５】
主基板４１は、パチンコ機１の主制御を司る。主基板４１の主基板ＣＰＵユニット５０には、各種の演算処理を行うＣＰＵ９１と、データを一時的に記憶するＲＡＭ９２と、制御プログラム等を記憶したＲＯＭ９３とが設けられている。主基板ＣＰＵユニット５０には、割込信号発生回路５７が接続されている。主基板４１は、割込信号発生回路５７から割込信号が入力される毎にプログラムを実行する。主基板４１は、Ｉ／Ｏインタフェイス５４を介してサブ制御基板５８、払出制御基板４５、中継基板４７、出力ポート５６、第一始動口スイッチ７８、及び第二始動口スイッチ７４に接続している。出力ポート５６は、図示しない遊技場管理用コンピュータにパチンコ機１の情報を出力する。第一始動口スイッチ７８は、第一特別図柄始動電動役物１４に入賞した遊技球を検出する。第二始動口スイッチ７４は、第二特別図柄始動電動役物１６に入賞した遊技球を検出する。
【００５６】
ＲＯＭ９３は変動パターン決定テーブル（図示略）を記憶する。変動パターン決定テーブルには、大当たり判定の判定結果（大当たり、又は、はずれ）等の有無に応じて、複数のテーブルが設けられている。各テーブルには割り当てられている変動パターンは、変動時間（特別図柄が変動している時間）が互いに異なる。
【００５７】
サブ制御基板５８は、ＣＰＵ５８１、ＲＡＭ５８２、及びＲＯＭ５８３を備え、ランプドライバ基板４６、演出制御基板４３、及びスピーカ４８に接続している。サブ制御基板５８は、主基板４１から送信されるコマンドに従って、演出等の総合的な制御を行う。ランプドライバ基板４６は、直動センサ３６１、近接センサ３６２、回転センサ３８１、昇降センサ３２４、直動モータ３６３、回転モータ３８３、昇降モータ３０３、及びソレノイド３５２に接続されている。直動センサ３６１、近接センサ３６２、回転センサ３８１、昇降センサ３２４は、それぞれ、ＯＮ状態であることを示すＯＮ信号とＯＦＦ状態であることを示すＯＦＦ信号とを、ランプドライバ基板４６を介してＣＰＵ５８１に出力する。ランプドライバ基板４６は、サブ制御基板５８から受信するコマンドに従って、直動モータ３６３、回転モータ３８３、昇降モータ３０３、及びソレノイド３５２を駆動制御する。
【００５８】
演出制御基板４３は、ＣＰＵ４３１、ＣＧＲＯＭ４３２等を備え、サブ制御基板５８から受信するコマンドに従って画像表示装置２８を制御する。ＣＧＲＯＭ４３２は、表示面２７（図１参照）における画像表示に必要な画像データ等を記憶する。払出制御基板４５は、ＣＰＵ４５ａ等を備える。払出制御基板４５は、主基板４１から送信されるコマンドに応じて賞球払出装置４９の動作を制御し、所定数の遊技球を払い出させる。
【００５９】
中継基板４７は、普通電動役物開閉ソレノイド７９、大入賞口ソレノイド７１に接続している。普通電動役物開閉ソレノイド７９は、普通当たり遊技中に第二特別図柄始動電動役物１６の開閉部材を開閉する。大入賞口ソレノイド７１は、大当たり遊技中に、アタッカー装置２５の大入賞口（図示略）の開閉部材を開閉する。
【００６０】
電源基板４２は、主基板４１及び遊技球発射装置３７に接続されており、各基板及び遊技球発射装置３７に直流の安定化した電力を供給する。遊技球発射装置３７は、一定間隔（本実施形態では０．６秒）毎に１個ずつ遊技球を遊技領域４へ発射する。
【００６１】
尚、詳細な図示は省略するが、電源基板４２の電源回路は、ホールに設置されたコンセントにケーブルを介して接続する第一接続部と、パチンコ機１に収容されるバックアップ電池（図示略）と接続する第二接続部とを備える。パチンコ機１は、日中の間には、コンセントから第一接続部を介して供給される電力によって稼働し、夜から朝にかけての間には、バックアップ電池から第二接続部を介して供給される電力によって休止状態となる。従って、パチンコ機１は電力が常時供給された状態であり、ＲＡＭ９２，５８２に記憶される各種情報は、電力遮断を理由として消失することはない。以下、第一接続部を介して電力が供給されているパチンコ機１の状態を電源ＯＮであるとし、そうでない状態を電源ＯＦＦであるとする。電源ＯＦＦであるときにホールスタッフがパチンコ機１の所定の操作ボタンを操作すれば、パチンコ機１の電源はＯＮになる。
【００６２】
図１３を参照し、ＲＡＭ５８２の記憶領域を説明する。ＲＡＭ５８２は、復帰フラグ記憶領域５８２Ａ、リトライフラグ記憶領域５８２Ｂ、モータ記憶領域５８２Ｃ、カウンタ記憶領域５８２Ｄ、特定演出情報記憶領域５８２Ｅを含む。復帰フラグ記憶領域５８２Ａは、復帰フラグを記憶する。後述の復帰処理（図２６参照）で右装飾体３５と左装飾体３４が正常に動作しなかった場合、復帰フラグは１となり、そうでない場合には復帰フラグは０となる。リトライフラグ記憶領域５８２Ｂは、リトライフラグを記憶する。後述のリトライ処理（図３９参照）で、右装飾体３５と左装飾体３４が正常に動作しなかった場合には、リトライフラグは１となり、そうでない場合にはリトライフラグは０となる。モータ記憶領域５８２Ｃは、モータ情報を記憶する。モータ情報は、リトライ処理の開始直前に動作していたモータ（直動モータ３６３、回転モータ３８３、昇降モータ３０３）と、モータの回転駆動方向（正転方向、逆転方向）を記憶する。カウンタ記憶領域５８２Ｄは、後述のリトライ処理の実行回数を示すカウンタ値を記憶する。カウンタ値は、モータ（計６種）と回転方向（計２種）とによって区分されおり、合計で１２種類ある。特定演出情報記憶領域５８２Ｅは、特定演出情報を記憶する。特定演出情報は、パチンコ機１で特定演出が実行されているか否かを示す情報であり、本実施形態ではフラグである。本実施形態の特定演出は、はずれ変動である。特定演出情報が「１」である場合、はずれ変動が実行されており、特定演出情報が「０」である場合、はずれ変動が実行されていない。
【００６３】
＜７．演出処理＞
＜７−１.演出処理の概要＞
図１４〜図２４等を参照し、演出装置３０の演出処理を説明する。ＣＰＵ５８１が、ＣＰＵ９１から受信するコマンドに応じ、ランプドライバ基板４６に所定のコマンドを送信することで、演出処理は実行される。演出処理は、図柄表示処理、第一演出処理、第二演出処理、及び第三演出処理を含む。
【００６４】
＜７−２．図柄表示処理＞
図柄表示処理は、後述の第一演出処理〜第三演出処理と並行して実行される処理である。図柄表示処理は、第一特別図柄始動電動役物１４又は第二特別図柄始動電動役物１６に遊技球が入賞したことを契機として開始される。
【００６５】
はじめに、ＣＰＵ９１は所定の乱数を取得する乱数取得処理を実行する。所定の乱数は複数種類あり、例えば、大当たり判定に用いられる大当たり乱数、表示面２７で確定表示させる特別図柄の決定に用いられる特別図柄決定乱数、変動パターンの決定に用いられる変動パターン決定乱数がある。この際、ＣＰＵ９１は、取得した大当たり乱数に基づいて、ＣＰＵ９１は大当たり判定の結果（大当たり、はずれ）を判断する。
【００６６】
その後、ＣＰＵ９１は特別図柄決定処理を実行する。特別図柄決定処理は、画像表示装置２８で確定表示する特別図柄の組合せを決定する処理である。「大当たり」と「はずれ」とに分けてＲＯＭ５３に記憶されている特別図柄決定テーブルをＣＰＵ９１は参照する。特別図柄決定テーブルでは、特別図柄決定乱数と、所定の組み合わせの特別図柄とが対応付けられている。ＣＰＵ９１は、参照する特別図柄決定テーブルと、乱数取得処理において取得した特別図柄決定乱数とに基づいて、確定表示させる特別図柄を決定する。
【００６７】
次いで、ＣＰＵ９１は、変動パターン決定処理を実行する。ＣＰＵ９１は、ＲＯＭ９３に記憶される変動パターン決定テーブルのうちで、大当たり判定の判定結果等に応じた変動パターン決定テーブルを参照する。変動パターン決定テーブルでは、変動パターンと、変動パターン決定乱数とが対応付けられている。ＣＰＵ９１は、参照する変動パターン決定テーブルと、乱数取得処理において取得した変動パターン決定乱数とに基づいて、変動パターンを決定する。
【００６８】
次いで、ＣＰＵ９１は、変動パターン通知処理を実行する。ＣＰＵ９１は、変動パターン指定コマンドをＲＡＭ９２に記憶する。変動パターン指定コマンドは、変動パターン決定処理で決定した変動パターンと、決定した変動パターンがはずれ変動に該当するものか否かと、特別図柄決定処理で決定した特別図柄の組合せと、乱数取得処理で判断した大当たり判定の結果とを示す。併せて、ＣＰＵ９１は、変動パターン指定コマンドをＣＰＵ５８１に送信する。ＣＰＵ５８１は、受信した変動パターン指定コマンドに応じたコマンドをＣＰＵ４３１に送信すると共に、スピーカ４８を駆動制御する。これにより、特別図柄の変動に伴う演出が開始される。また、ＣＰＵ５８１は、受信した変動パターン指定コマンドがはずれ変動に該当する図柄変動である場合には、特定演出情報記憶領域５８２Ｅの特定演出情報を「１」に上書きする。
【００６９】
ＣＰＵ９１は、変動表示終了処理を実行する。変動パターン指定コマンドの送信後、ＣＰＵ９１は、変動パターン決定処理で決定した変動パターンの変動時間が経過するタイミングで、ＣＰＵ５８１に変動表示終了コマンドを送信する。変動表示終了コマンドを受信したＣＰＵ５８１は、画像表示装置２８での変動表示を終了させ、所定の組合せの特別図柄を確定表示させる。仮に、変動パターン指定コマンドが示す大当たり判定の結果が大当たりであれば、ＣＰＵ５８１は、その後、スピーカ４８と画像表示装置２８を互いに連動動作させ、大当たり報知演出を実行する。尚、変動表示終了コマンドの受信時、画像表示装置２８で確定表示した特別図柄が、はずれに該当する特別図柄の組合せであるか否かに関わらず、ＣＰＵ５８１は表示終了コマンドの受信時に、特定演出情報記憶領域５８２Ｅに記憶の特定演出情報を０に上書きする。図柄表示処理は終了する。
【００７０】
＜７−３.第一演出処理〜第三演出処理＞
演出装置３０には、種々の演出処理があるが、以下、第一演出処理、第二演出処理、及び第三演出処理を説明する。第一演出処理と第二演出処理は、例えば、はずれ変動に伴う演出時に実行される処理であり、第三演出処理は当たり変動時に実行される処理である。
【００７１】
右装飾体３５と左装飾体３４の動作は略左右対称である。以下の演出動作の説明では、右演出装置３１の各種機構の動作を説明しながら、右装飾体３５と左装飾体３４の動作を説明する。
【００７２】
第一演出処理〜第三演出処理の開始前、演出装置３０は初期状態である（図１５（ａ）参照）。このとき、右装飾体３５は、離隔位置、初期回転位置、及び作動位置に位置する。また、作動位置にある右装飾体３５は右ロック機構１５０によって保持され（図５参照）、右ラック１０５は中間位置にある（図９（ａ）参照）。演出装置３０が初期状態であるときの左演出装置３２の状態は右演出装置３１と同様である。
【００７３】
尚、図１２を参照して説明したように、ＣＰＵ５８１は、ランプドライバ基板４６を介して、右直動センサ６１、右ソレノイド１５２、右直動モータ６３等と各種の信号の送信又は受信を行うが、以下の処理の説明では、ランプドライバ基板４６に関する説明を省略する。
【００７４】
ＣＰＵ５８１が、第一演出処理〜第三演出処理のいずれかの処理を開始するコマンドをＣＰＵ９１から受信した場合に、その演出処理は実行される。ＣＰＵ５８１は、処理を実行するためプログラムをＲＯＭ５８３から読み出して、第一演出処理〜第三演出処理を開始する。
【００７５】
＜７−３−１.第一演出処理＞
図１４〜図１６を参照し、演出装置３０の第一演出処理を説明する。ＣＰＵ５８１は、右装飾体３５と左装飾体３４が初期状態であるか否かを判断する（Ｓ１１）。直動センサ３６１、回転センサ３８１、昇降センサ３２４を構成する全てのセンサがＯＮ状態である場合、右装飾体３５と左装飾体３４が初期状態であるとＣＰＵ５８１は判断し（Ｓ１１：ＹＥＳ）、そうでない場合には右装飾体３５と左装飾体３４が初期状態にないと判断する（Ｓ１１：ＮＯ）。右装飾体３５と左装飾体３４の少なくとも一方が初期状態にない場合（Ｓ１１：ＮＯ）、ＣＰＵ５８１は復帰処理を実行して（Ｓ１３）、第一演出処理を終了する。復帰処理は、右装飾体３５と左装飾体３４を初期状態にする処理である。復帰処理の詳細は後述する（＜９．復帰処理＞参照）。
【００７６】
右装飾体３５と左装飾体３４が初期状態にある場合（Ｓ１１：ＹＥＳ）、ＣＰＵ５８１は、直動センサ３６１がＯＦＦ信号を出力するまで直動モータ３６３を正転駆動する（Ｓ１５）。例えば、ＣＰＵ５８１は、直動センサ３６１の出力結果を監視しながら、右装飾体３５と左装飾体３４の最大可動量分のパルス信号を直動モータ３６３に入力する。そして、直動センサ３６１がＯＦＦ信号を出力したとき、ＣＰＵ５８１は直動モータ３６３の正転駆動を停止し（Ｓ１５）、直動センサ３６１がＯＦＦ状態であるか否かを判断する（Ｓ１７）。尚、直動センサ３６１の出力信号がＯＮ信号からＯＦＦ信号に切り替わることなく、直動モータ３６３が最大可動量分の駆動した場合、ＣＰＵ５８１は直動モータ３６３を駆動停止する（Ｓ１５）。この場合、直動センサ３６１はＯＮ信号を出力しているので（Ｓ１７：ＮＯ）、ＣＰＵ５８１はリトライフラグを１に上書きして、モータ情報を上書きする（Ｓ１８）。Ｓ１８で上書きされるモータ情報は、右直動モータ６３と左直動モータ２６３の少なくとも一方のモータが正転駆動していることを示す情報である。ＣＰＵ５８１はリトライ処理を実行する（Ｓ１９）。リトライ処理の詳細は後述する（＜１０.リトライ処理＞参照）。
【００７７】
Ｓ１５で右装飾体３５と左装飾体３４が正常に動作した場合（Ｓ１７：ＹＥＳ）、右装飾体３５と左装飾体３４は、離隔位置よりも僅かに左右方向中心側で停止する（図１５（ｂ）参照）。ＣＰＵ５８１は、カウンタ記憶領域５８２Ｄに記憶されるカウンタ値をリセットする（Ｓ２１）。Ｓ２１でリセットされるカウンタ値は、右直動モータ６３の正転方向のカウンタ値と、左直動モータ２６３の正転方向のカウンタ値である。
【００７８】
ＣＰＵ５８１は、直動モータ３６３を所定時間に亘って正転駆動と逆転駆動を繰り返し（Ｓ２３）、左装飾体３４と右装飾体３５を左右に往復移動させる（図１５（ｂ）参照）。所定時間経過後、左装飾体３４と右装飾体３５は、動作開始位置にて停止する。ＣＰＵ５８１は、直動終了処理を実行する（Ｓ２５）。直動終了処理は、右装飾体３５と左装飾体３４の左右方向位置に関わらず、右装飾体３５と左装飾体３４を離隔位置に配置させる処理である。
【００７９】
図１６を参照し、直動終了処理を説明する。ＣＰＵ５８１は、直動センサ３６１がＯＦＦ状態であるか否かを判断する（Ｓ３１）。直動センサ３６１がＯＮ状態である場合（Ｓ３１：ＹＥＳ）、ＣＰＵ５８１は復帰処理を実行する（Ｓ３３）。
【００８０】
Ｓ２３において正常な動作が実行された場合、右装飾体３５と左装飾体３４は、直動センサ３６１の検知領域からはずれた位置にあり（Ｓ３１：ＹＥＳ）、ＣＰＵ５８１は、直動センサ３６１がＯＮ信号を出力するまで直動モータ３６３を逆転駆動する（Ｓ３５）。ＣＰＵ５８１は、直動センサ３６１がＯＮ状態であるか否かを判断する（Ｓ３７）。
【００８１】
右装飾体３５と左装飾体３４の少なくとも一方が直動センサ３６１の検知領域に進入していないとき（Ｓ３７：ＮＯ）、ＣＰＵ５８１は、リトライフラグ記憶領域５８２Ｂのリトライフラグを１に上書きし、モータ記憶領域５８２Ｃのモータ情報を上書きする（Ｓ３８）。例えば、右直動センサ６１がＯＦＦ状態で、左直動センサ２６１がＯＮ状態である場合（Ｓ３７：ＮＯ）、右装飾体３５だけがＳ３５で正常に動作しなかったことになり、ＣＰＵ５８１は、リトライフラグを１に上書きして、モータ情報を上書きする（Ｓ３８）Ｓ３８における上書き後のモータ情報は「右直動モータ６３、逆転方向」である。ＣＰＵ５８１はリトライ処理を実行し（Ｓ３９）、直動終了処理を終了する。
【００８２】
右装飾体３５と左装飾体３４が直動センサ３６１の検知領域に進入しているとき（Ｓ３７：ＹＥＳ）、ＣＰＵ５８１は、直動モータ３６３を３０パルス分逆転駆動し（Ｓ４１）、右装飾体３５と左装飾体３４は離隔位置に戻る（図１５（ａ）参照）。ＣＰＵ５８１はカウンタ記憶領域５８２Ｄのカウンタ値をリセットする（Ｓ４３）。Ｓ４３でリセットされるカウンタ値は、右回転モータ８３の逆転方向のカウンタ値と、左回転モータ２８３の逆転方向のカウンタ値である。ＣＰＵ５８１は、第一演出処理（図１４参照）に戻り、処理を終了する。
【００８３】
＜７−３−２.第二演出処理＞
図１７〜図１９を参照し、演出装置３０の第二演出処理を説明する。ＣＰＵ５８１は直動開始処理を実行する（Ｓ５１）。図１９に示すように、ＣＰＵ５８１は、右装飾体３５と左装飾体３４が初期状態であるか否かを判断する（Ｓ５７）。右装飾体３５と左装飾体３４の少なくとも一方が初期状態にない場合（Ｓ５７：ＮＯ）、ＣＰＵ５８１は復帰処理を実行し（Ｓ５９）、直動開始処理を終了する。
【００８４】
図１８（ａ）に示すように、右装飾体３５と左装飾体３４が初期状態である場合（Ｓ５７：ＹＥＳ）、ＣＰＵ５８１は、近接センサ３６２がＯＮ信号を出力するまで直動モータ３６３を正転駆動する（Ｓ６１）。右装飾体３５と左装飾体３４は近接方向に向けて移動する。Ｓ６１の実行後、ＣＰＵ５８１は近接センサ３６２がＯＮ状態であるか否かを判断する（Ｓ６３）。近接センサ３６２がＯＦＦ状態である場合（Ｓ６３：ＮＯ）、ＣＰＵ５８１は、リトライフラグ記憶領域５８２Ｂのリトライフラグを１に上書きし、モータ記憶領域５８２Ｃのモータ情報を上書きする（Ｓ６４）。例えば、右近接センサ６２がＯＮ状態であり、左近接センサ２６２がＯＦＦ状態である場合、Ｓ６４における上書き後のモータ情報は「左直動モータ２６３、正転方向」である。ＣＰＵ５８１はリトライ処理を実行し（Ｓ６５）、直動開始処理を終了する。
【００８５】
右装飾体３５と左装飾体３４が近接センサ３６２の検知領域に進入して停止した場合（Ｓ６３：ＹＥＳ）、ＣＰＵ５８１が直動モータ３６３を２８パルス分正転駆動する（Ｓ６７）。右装飾体３５と左装飾体３４は近接位置に到達する（図１８（ｂ）参照）。尚、このとき、右装飾体３５の右進入部３８は、左装飾体３４の左開口部９９に進入し、左装飾体３４の左進入部９８は、右装飾体３５の右開口部３９に進入する。ＣＰＵ５８１は、直動開始処理を終了して第二演出処理に戻る。
【００８６】
図１７、図２０に示すように、ＣＰＵ５８１は、昇降処理を開始する（Ｓ５３）。ＣＰＵ５８１は、昇降センサ３２４がＯＮ状態であるか否かを判断する（Ｓ７１）。昇降センサ３２４がＯＦＦ状態である場合（Ｓ７１：ＮＯ）、ＣＰＵ５８１は復帰処理を実行した後（Ｓ７３）、第二演出処理に戻る。
【００８７】
昇降処理が正常に開始されるとき、右装飾体３５と左装飾体３４は作動位置にある（Ｓ７１：ＹＥＳ）。ＣＰＵ５８１は、ソレノイド３５２をＯＮ状態にして、昇降センサ３２４がＯＦＦ信号を出力するまで昇降モータ３０３を逆転駆動する（Ｓ７５）。ソレノイド３５２がＯＮ状態になることで、ロック部材２５７はロック位置からロック解除位置に回転する（図１１の矢印Ｑ２）。例えば、ＣＰＵ５８１は、昇降センサ３２４の出力結果を監視しながら、右装飾体３５と左装飾体３４の最大可動量分のパルス信号を昇降モータ３０３に入力する。右装飾体３５と左装飾体３４は上方に向けて移動する（図１８（ｂ）の矢印方向）。そして、昇降センサ３２４がＯＦＦ信号を出力したとき、ＣＰＵ５８１は昇降モータ３０３の逆転駆動を停止し、ソレノイド３５２をＯＦＦ状態に戻す（Ｓ７５）。その後、ＣＰＵ５８１は、昇降センサ３２４がＯＦＦ状態であるか否かを判断する（Ｓ７７）。尚、昇降センサ３２４の出力信号がＯＮ信号からＯＦＦ信号に切り替わることなく、最大可動量分のパルス信号が入力された場合、ＣＰＵ５８１は昇降モータ３０３を駆動停止してソレノイド３５２をＯＦＦ状態に戻す。この場合、昇降センサ３２４はＯＮ信号を出力しているので（Ｓ７７：ＮＯ）、ＣＰＵ５８１は、リトライフラグを１に上書きし、モータ情報を上書きする（Ｓ７８）。Ｓ７８における上書き後のモータ情報は、「右昇降モータ、逆転方向」と「左昇降モータ、逆転方向」である。ＣＰＵ５８１はリトライ処理を実行する（Ｓ７９）。
【００８８】
右装飾体３５と左装飾体３４が正常に上昇した場合（Ｓ７７：ＹＥＳ）、ＣＰＵ５８１は昇降モータ３０３を一定パルス（５７パルス）分逆転駆動させる（Ｓ８１）。右装飾体３５と左装飾体３４は上端位置に到達する（図１８（ｃ）参照）。ＣＰＵ５８１は、カウンタ記憶領域５８２Ｄに記憶されるカウンタ値をリセットする（Ｓ８３）。Ｓ８３でリセットされるカウンタ値は、右昇降モータ１０３の逆転方向のカウンタ値と、左昇降モータ２０３の逆転方向のカウンタ値である。ＣＰＵ５８１は、昇降センサ３２４がＯＦＦ状態であるか否かを判断する（Ｓ８５）。例えば、右装飾体３５と左装飾体３４が何らかの原因で例えば作動位置まで落下している場合（Ｓ８５：ＮＯ）、ＣＰＵ５８１は、ＲＡＭ５８２の所定の記憶領域に、昇降処理が正常に完了しなかったことを記憶してから昇降処理を終了し、第二演出処理に戻る。
【００８９】
右装飾体３５と左装飾体３４が上端位置にある場合（Ｓ８５：ＹＥＳ）、ＣＰＵ５８１は、ＲＡＭ５８２の上述した所定の記憶領域をリセットし、ソレノイド３５２をＯＮ状態にし、昇降センサ３２４がＯＮ信号を出力するまで昇降モータ３０３を正転駆動する（Ｓ８７）。昇降モータ３０３の正転に伴って、右装飾体３５と左装飾体３４は上端位置から下降する（図１８（ｃ）の矢印方向）。Ｓ８７の実行後、ＣＰＵ５８１は、昇降センサ３２４がＯＮ状態であるか否かを判断する（Ｓ８９）。Ｓ８７において正常な動作が実行されない場合、右装飾体３５と左装飾体３４は、昇降センサ３２４の検知領域まで進入しない（Ｓ８９：ＮＯ）。ＣＰＵ５８１は処理をＳ７８に移行する。Ｓ７８においてモータ情報として記憶されるのは、「右昇降モータ、正転方向」と「左昇降モータ、正転方向」である。
【００９０】
Ｓ８７において正常な動作が実行される場合、右装飾体３５と左装飾体３４は昇降センサ３２４の検知領域に進入する（Ｓ８９：ＹＥＳ）。ＣＰＵ５８１は、ソレノイド３５２をＯＮ状態にして、昇降センサ３２４がＯＦＦ信号を出力するまで昇降モータ３０３を正転駆動する（Ｓ９１）。昇降モータ３０３の正転駆動に伴って、右装飾体３５と左装飾体３４は作動位置を経由して下降する。ＣＰＵ５８１は、昇降センサ３２４がＯＦＦ状態であるか否かを判断する（Ｓ９３）。昇降センサ３２４がＯＮ状態である場合（Ｓ９３：ＮＯ）、処理をＳ７８に移行する。
【００９１】
昇降センサ３２４がＯＦＦ状態である場合（Ｓ９３：ＹＥＳ）、ＣＰＵ５８１は、昇降モータ３０３を２０パルス分正転駆動する（Ｓ９５）。右装飾体３５と左装飾体３４は、作動位置と下端位置との間で停止する（図１８（ｄ）参照）。ＣＰＵ５８１は、昇降センサ３２４がＯＮ信号を出力するまで昇降モータ３０３を逆転駆動する（Ｓ９６）。右装飾体３５と左装飾体３４は上昇する。右装飾体３５と左装飾体３４の上昇時、右装飾体３５の上凸部１６９（図５参照）が、右ロック部材１５７の先端１５７Ｆ（図５参照）に下方から接触して、ロック位置にある右ロック部材１５７をロック解除位置に向けて回転させる。右装飾体３５と左装飾体３４は、作動位置よりも僅かに下方となる位置で停止する（Ｓ９６）。このとき、ロック解除位置とロック位置との間で右ロック部材１５７は上凸部１６９と接触して停止する（左ロック機構においても同様である）。
【００９２】
ＣＰＵ５８１は昇降センサ３２４がＯＮ状態であるか否かを判断する（Ｓ９７）。昇降センサ３２４がＯＦＦ状態である場合（Ｓ９７：ＮＯ）、ＣＰＵ５８１は処理をＳ７８に移行する。昇降センサ３２４がＯＮ状態である場合（Ｓ９７：ＹＥＳ）、ＣＰＵ５８１は、１５パルス分昇降モータ３０３を逆転駆動する（Ｓ９８）。右装飾体３５と左装飾体３４が作動位置に到達すると同時に（図１８（ｅ）参照）、ロック部材２５７はソレノイドバネの付勢力でロック位置まで復帰する（図５参照）。保持部１５７Ｃは、第一規制部１６１を下側から保持する（図５参照）。ＣＰＵ５８１は、カウンタ記憶領域５８２Ｄに記憶されるカウンタ値をリセットする（Ｓ９９）。Ｓ９９でリセットされるカウンタ値は、「右昇降モータ、逆転方向」と「左昇降モータ、逆転方向」である。ＣＰＵ５８１は昇降処理を終了し、第二演出処理に戻る。
【００９３】
ＣＰＵ５８１は、昇降処理が正常に終了したか否かを、ＲＡＭ５８２を参照することで判断する（Ｓ５４）。例えば、Ｓ８５において昇降処理が正常に終了しなかったことを示す情報がＲＡＭ５８２に記憶された場合（Ｓ５４：ＮＯ）、ＣＰＵ９１は第二演出処理を終了する。この場合、ホールスタッフ又はパチンコ機１の製造業者が、パチンコ機１の保守作業を実行する。
【００９４】
昇降処理が正常に終了している場合（Ｓ５４：ＹＥＳ）、ＣＰＵ５８１は直動終了処理を実行する（Ｓ５５）。Ｓ５５はＳ２５（図１４参照）と同様の処理である。Ｓ５５が実行されることで、右装飾体３５と左装飾体３４は、近接位置から離隔位置まで移動する（図１８（ａ）参照）。ＣＰＵ５８１は第二演出処理を終了する。
【００９５】
＜７−３−３.第三演出処理＞
図２１〜図２４を参照し、演出装置３０の第三演出処理を説明する。ＣＰＵ５８１は、直動開始処理を実行する（Ｓ１０１）。Ｓ１０１はＳ５１（図１７参照）と同様の処理である。Ｓ１０１が実行されることで、右装飾体３５と左装飾体３４は近接位置まで移動する（図２２（ａ）、（ｂ）参照）。ＣＰＵ５８１は自由落下処理を実行する（Ｓ１０３）。
【００９６】
図２３に示すように、ＣＰＵ５８１は、昇降センサ３２４がＯＮ状態であるか否かを判断する（Ｓ１１１）。昇降センサ３２４がＯＦＦ状態である場合（Ｓ１１１：ＮＯ）、ＣＰＵ５８１は復帰処理を実行し（Ｓ１１３）、自由落下処理を終了して第三演出処理に戻る。昇降センサ３２４がＯＮ状態である場合（Ｓ１１１：ＹＥＳ）、ＣＰＵ５８１は、ソレノイド３５２をＯＮ状態にして、昇降センサ３２４がＯＦＦ信号を出力するまで昇降モータ３０３が逆転駆動する（Ｓ１１５）。右装飾体３５と左装飾体３４は、作動位置と下端位置との間で停止する（Ｓ１１５）。
【００９７】
ＣＰＵ５８１は、昇降センサ３２４がＯＦＦ状態であるか否かを判断する（Ｓ１１７）。昇降センサ３２４がＯＮ状態である場合（Ｓ１１７：ＮＯ）、ＣＰＵ５８１は、リトライフラグを１に上書きして、モータ記憶領域５８２Ｃのモータ情報を上書きする（Ｓ１１８）。この場合、上書き後のモータ情報は、「右昇降モータ、逆転方向」と「左昇降モータ、逆転方向」である。ＣＰＵ５８１はリトライ処理を実行し（Ｓ１１９）、自由落下処理を終了して第三演出処理に戻る。
【００９８】
昇降センサ３２４がＯＮ状態である場合（Ｓ１１７：ＹＥＳ）、ＣＰＵ５８１は、ソレノイド３５２をＯＮ状態にしてから、昇降モータ３０３を５７パルス分逆転駆動する（Ｓ１２１）。右装飾体３５と左装飾体３４は、上端位置にてロック部材２５７により保持される（図２２（ｃ）参照）。
【００９９】
ＣＰＵ５８１は、昇降モータ３０３を一定パルス分（２９０パルス分）、正転駆動する（Ｓ１２３）。右装飾体３５と左装飾体３４は、昇降体２０２と共に上端位置にて保持されたまま、ラック２０５は最下位位置まで下降する。Ｓ１２３の実行時、昇降モータ３０３の正転駆動量が、２９０パルスに到達する前に、ラック２０５が最下位位置に到達する場合、ＣＰＵ５８１はその瞬間に昇降モータ３０３の正転駆動を停止する。具体的には、下端位置に到達したラック２０５が、長孔６８Ａ下端によって下方への移動を規制されることで、昇降モータ３０３の駆動負荷は著しく増大する。ＣＰＵ５８１は、この駆動負荷の増大を検知し、昇降モータ３０３の正転駆動を停止する。駆動負荷の増大の検知は、昇降モータ３０３に内蔵されたトルク計測器によって実現されてもよいし、昇降モータ３０３の脱調の発生により検知されてもよい。昇降モータ３０３の脱調が発生した場合、昇降モータ３０３への電力供給が瞬間的に遮断されれば、昇降モータ３０３は復旧する。
【０１００】
ＣＰＵ５８１は、ソレノイド３５２を１０００ｍｓの間に亘りＯＮ状態にする（Ｓ１２５）。ロック部材２５７がロック位置からロック解除位置まで移動することで（Ｓ１２５）、右装飾体３５と左装飾体３４は上端位置から下端位置まで自由落下する（図２２（ｄ）参照）。ＣＰＵ５８１は、昇降センサ３２４がＯＮ信号を出力するまで昇降モータ３０３を逆転駆動させる（Ｓ１２７）。ＣＰＵ５８１は、昇降センサ３２４がＯＮ状態であるか否かを判断する（Ｓ１２９）。昇降センサ３２４がＯＦＦ状態である場合（Ｓ１２９：ＮＯ）、ＣＰＵ５８１は、処理をＳ１１８に移行する。Ｓ１１８における上書き後のモータ情報は、「右昇降モータ、逆転方向」、「左昇降モータ、逆転方向」である。
【０１０１】
昇降センサ３２４がＯＮ状態である場合（Ｓ１２９：ＹＥＳ）、ＣＰＵ５８１は、昇降モータ３０３が１５パルス分逆転駆動する（Ｓ１３１）。右装飾体３５と左装飾体３４は上昇し（図２２（ｄ）の矢印方向）、作動位置にて停止する。ＣＰＵ５８１は、モータ記憶領域５８２Ｃで記憶されるカウンタをリセットする（Ｓ１３３）。Ｓ１３３でリセットされるカウンタ値は、右昇降モータ１０３の逆転方向のカウンタ値と、左昇降モータ２０３の逆転方向のカウンタ値である。ＣＰＵ５８１は自由落下処理を終了して第三演出処理に戻る。
【０１０２】
図２１、図２４に示すように、ＣＰＵ５８１は、回転処理を実行する（Ｓ１０５）。ＣＰＵ５８１は、回転センサ３８１がＯＮ状態であるか否かを判断する（Ｓ１３５）。右装飾体３５と左装飾体３４の少なくとも一方が初期回転位置にないとき、回転センサ３８１はＯＮ信号を出力しておらず（Ｓ１３５：ＮＯ）、ＣＰＵ５８１は、復帰処理を実行し（Ｓ１３７）、回転処理を終了して第三演出処理に戻る。
【０１０３】
回転処理が正常に実行開始される場合、右装飾体３５と左装飾体３４は初期回転位置にあり（Ｓ１３５：ＹＥＳ）、ＣＰＵ５８１は、回転センサ３８１がＯＦＦ信号を出力するまで、回転モータ３８３を正転駆動する（Ｓ１３９）。右装飾体３５と左装飾体３４は、初期回転位置から正面視で反時計回りに回転する。ＣＰＵ５８１は回転センサ３８１がＯＦＦ状態であるか否かを判断する（Ｓ１４１）。例えば、Ｓ１３９で正常な動作が実行されなかった場合、右装飾体３５と左装飾体３４は回転センサ３８１の検知領域内にある（Ｓ１４１：ＮＯ）。ＣＰＵ５８１は、リトライフラグを１に上書きして、モータ記憶領域５８２Ｃのモータ情報を上書きする（Ｓ１４２）。この場合のＳ１４２における上書き後のモータ情報は、「右回転モータ、正転方向」と「左回転モータ、正転方向」である。ＣＰＵ５８１はリトライ処理を実行し（Ｓ１４３）、回転処理を終了して第三演出処理に戻る。
【０１０４】
Ｓ１３９で正常な動作が実行された場合、右装飾体３５と左装飾体３４は初期回転位置から正面視反時計回りに回転する（図２２（ｅ）参照）。回転センサ３８１はＯＦＦ信号を出力し（Ｓ１４１：ＹＥＳ）、ＣＰＵ５８１は、回転モータ３８３を更に一定パルス（１００パルス）分正転駆動し（Ｓ１４５）、右装飾体３５と左装飾体３４を作動回転位置まで回転させる（図２２（ｆ）参照）。ＣＰＵ５８１は、カウンタ記憶領域５８２Ｄのカウンタ値をリセットする（Ｓ１４７）。Ｓ１４７でリセットされるカウンタ値は、右回転モータ８３の正転方向のカウンタと、左回転モータ２８３の正転方向のカウンタ値である。ＣＰＵ５８１は回転センサ３８１がＯＦＦ状態であるか否かを判断する（Ｓ１４９）。右装飾体３５と左装飾体３４が何らかの原因で初期回転位置に戻っている場合、回転センサ３８１がＯＮ信号を出力するので（Ｓ１４９：ＮＯ）、ＣＰＵ５８１は処理をＳ１３７に移行する。
【０１０５】
回転センサ３８１がＯＦＦ状態である場合（Ｓ１４９：ＹＥＳ）、ＣＰＵ５８１は、回転センサ３８１がＯＮ信号を出力するまで回転モータ３８３を逆転駆動する（Ｓ１５１）。右装飾体３５と左装飾体３４は正面視で時計回りに回転する（図示略）。Ｓ１５１の実行後、ＣＰＵ５８１は回転センサ３８１がＯＮ状態であるか否かを判断する（Ｓ１５３）。Ｓ１５１が正常に実行されなかった場合、右装飾体３５と左装飾体３４は初期回転位置の手前まで到達しない（Ｓ１５３：ＮＯ）、ＣＰＵ５８１は処理をＳ１４２に移行する。この場合のＳ１４２における上書き後のモータ情報は、「右回転モータ、逆転方向」と「左回転モータ、逆転方向」である。
【０１０６】
回転センサ３８１がＯＮ状態である場合（Ｓ１５３：ＹＥＳ）、ＣＰＵ５８１は、回転モータ３８３を８パルス分逆転駆動し（Ｓ１５５）、右装飾体３５と左装飾体３４を初期回転位置まで回転させる（図示略）。ＣＰＵ５８１は、カウンタ記憶領域５８２Ｄのカウンタ値をリセットして（Ｓ１５７）、回転処理を終了して、第三演出処理に戻る。Ｓ１５７でリセットされるカウンタ値は、右昇降モータ１０３の逆転方向のカウンタと、左昇降モータ２０３の逆転方向のカウンタ値である。
【０１０７】
図２１、図２２に示すように、ＣＰＵ５８１は直動終了処理を実行する（Ｓ１０７）。Ｓ１０７はＳ５５（図１７参照）と同様の処理である。Ｓ１０７が実行されることで、右装飾体３５と左装飾体３４は離隔位置に戻る（図２２（ａ）参照）。
【０１０８】
＜８．電源投入処理＞
図２５を参照し、電源投入処理を説明する。電源投入処理は、パチンコ機１の電源がＯＦＦからＯＮに切り替わる場合に開始される処理である。ＣＰＵ５８１は、リトライフラグが１であるか否かを、ＲＡＭ５８２を参照することで判断する（Ｓ２１１）。リトライフラグが１である場合（Ｓ２１１：ＮＯ）、ＣＰＵ５８１は、ＣＰＵ５８１は画像表示装置２８に「エラー発生」と異常報知させ（Ｓ２１７）、電源投入処理を終了する。この場合、異常報知に気付いたホールのスタッフが処置を行う。
【０１０９】
リトライフラグが０である場合（Ｓ２１１：ＹＥＳ）、ＣＰＵ５８１は復帰処理を実行する（Ｓ２１３）。復帰処理は、右装飾体３５と左装飾体３４を初期状態にするための処理である。例えば、パチンコ機１の動作中に突発的に電源がＯＦＦになった場合、又は電源投入後のパチンコ機１に対して突発的な外力が作用した場合に、右装飾体３５と左装飾体３４は初期状態から外れた状態になる。この場合、復帰処理が実行されることで、右装飾体３５と左装飾体３４は初期状態に復帰できる。復帰処理の詳細は後述する。
【０１１０】
Ｓ２１３の終了後、ＣＰＵ５８１は、復帰処理が正常に終了したか否かを、復帰フラグ記憶領域５８２Ａを参照することで判断する（Ｓ２１５）。復帰フラグ記憶領域５８２Ａが１である場合（Ｓ２１５：ＮＯ）、ＣＰＵ５８１は処理をＳ２１７に移行する。復帰フラグが０である場合（Ｓ２１５：ＹＥＳ）、ＣＰＵ５８１は、起動動作処理を実行する（Ｓ２１９）。起動動作処理は、例えば、パチンコ機１が各種の演出動作を実行可能な状態にする処理である。Ｓ２１９の実行後、ＣＰＵ５８１は電源投入処理を終了し、上述の第一演出処理等を適宜実行する。
【０１１１】
＜９．復帰処理＞
＜９−１.復帰処理の概要＞
図２６を参照し、復帰処理を説明する。ＣＰＵ５８１は右復帰処理を実行する（Ｓ２２１）。右復帰処理は、右装飾体３５を初期状態にする処理である。右復帰処理の詳細は後述する。Ｓ２２１の開始後、ＣＰＵ５８１は左復帰処理（Ｓ２２３）を実行する。左復帰処理は、左装飾体３４を初期状態にする処理である。
【０１１２】
図２６では、フローチャートの説明の都合、右復帰処理（Ｓ２２１）の終了後に、左復帰処理（Ｓ２２３）が開始されるように図示しているが、実際には、Ｓ２２１とＳ２２３が開始されるタイミングは略同じである。
【０１１３】
ＣＰＵ５８１は、左復帰処理（Ｓ２２３）の実行後、右装飾体３５と左装飾体３４が正常に初期状態に復帰したか否かを判断する（Ｓ２２５）。例えば、ＣＰＵ５８１は、右装飾体３５と左装飾体３４がいずれも初期状態であるか否かを判断する（Ｓ２２５）。直動センサ３６１、回転センサ３８１、昇降センサ３２４のいずれかがＯＦＦ状態である場合（Ｓ２２５：ＮＯ）、ＣＰＵ５８１は、復帰フラグ記憶領域５８２Ａの復帰フラグを１に上書きして、右装飾体３５と左装飾体３４に異常が発生したことを報知する（Ｓ２２７）。例えば、ＣＰＵ５８１は、ＣＰＵ９１から受信するコマンドに応じて、異常報知を実行するコマンドをＣＰＵ４３１に送信する。これにより、画像表示装置２８は「エラー発生」と表示面２７に表示する（Ｓ２２７）。Ｓ２２７の実行後、ＣＰＵ５８１は電源投入処理に戻る。この場合、ＣＰＵ５８１は、起動処理（Ｓ２１７）を実行することなく、電源投入処理を終了する。右装飾体３５と左装飾体３４が初期状態に正常に復帰したと判断した場合（Ｓ２２５：ＹＥＳ）、ＣＰＵ５８１は電源投入処理（図２５参照）に戻り、起動動作処理を実行する（Ｓ２１９）。尚、右装飾体３５と左装飾体３４が初期状態に正常に復帰したと判断した場合には、ＣＰＵ５８１は復帰フラグを０に上書きする（Ｓ２２５：ＹＥＳ）。
【０１１４】
＜９−２．右復帰処理＞
図２７〜図３８を参照し、右復帰処理について説明する。右復帰処理は、右装飾体３５を初期状態に復帰させる処理である。右復帰処理の実行時、ＣＰＵ５８１は、直動センサ３６１、回転センサ３８１、昇降センサ３２４の検知結果に関する情報（即ち、ＯＮ信号とＯＦＦ信号）に基づき、直動モータ３６３、回転モータ３８３、昇降モータ３０３を駆動制御する。以下の右復帰処理の説明では、左装飾体３４は初期状態であるものとする。また、以下の説明では、各種モータは、回転駆動を明示する説明がない場合には、駆動停止状態であるものとする。
【０１１５】
＜９−２−１．右上昇センサ１２５、右回転センサ８１、右直動センサ６１がＯＦＦの場合＞
図２７〜図３３を参照し、右装飾体３５が、離隔位置、初期回転位置、作動位置のいずれの位置にも配置されていないときの右復帰処理を説明する。例えば図２８（ａ）に示すように、右装飾体３５は、離隔位置と近接位置との間となる左右方向位置にあり、初期回転位置と作動回転位置との間となる回転位置にあり、上端位置にある。右ラック１０５は最上位位置にある。
【０１１６】
ＣＰＵ５８１は、右昇降センサ１２４がＯＮ状態か否かを判定する（Ｓ２３１）。右装飾体３５が上端位置にあるので、右上昇センサ１２５と右落下センサ１２６はいずれもＯＦＦ状態である（Ｓ２３１：ＮＯ）。ＣＰＵ５８１は、右回転センサ８１の出力結果に関する情報に基づき、右回転センサ８１がＯＮ状態か否かを判断する（Ｓ２３３）。右昇降体１０２は、初期回転位置と作動回転位置との間となる回転位置にあるので、右回転センサ８１はＯＦＦ状態である（Ｓ２３３：ＮＯ）。ＣＰＵ５８１は、右直動センサ６１の出力結果に関する情報に基づき、右直動センサ６１がＯＮ状態か否かを判断する（Ｓ２３５）。右装飾体３５は、離隔位置と近接位置との間となる左右方向位置にあるので、右直動センサ６１はＯＦＦ状態である（Ｓ２３５：ＮＯ）。ＣＰＵ５８１は右回転復帰処理Ａを実行する（Ｓ２３７）。
【０１１７】
図２９に示すように、ＣＰＵ５８１は、右回転モータ８３を一定パルス分逆転させる（Ｓ２６１）。一定パルスは、右装飾体３５の例えば約２０°分の回転に相当するパルス数である。右装飾体３５は、初期回転位置に向けて回転するが（図２８（ａ）の矢印Ｆ１）、本例では初期回転位置に到達することなく停止する（図２８（ｂ）参照）。ＣＰＵ５８１は、右昇降センサ１２４がＯＮ状態か否かを判断する（Ｓ２６３）。右装飾体３５は上端位置にあり、右昇降センサ１２４はＯＦＦ状態である（Ｓ２６３：ＮＯ）。ＣＰＵ５８１は、右昇降復帰処理を実行する（Ｓ２６５）。尚、ＣＰＵ５８１は、Ｓ２６１の実行時に、右回転センサ８１の検知結果を監視する。そして、右回転モータ８３の逆転駆動量が一定パルス分の駆動量に達する前に、右装飾体３５が初期回転位置に到達する場合、ＣＰＵ５８１は、その瞬間に右回転モータ８３の逆転駆動を駆動停止する（Ｓ２６１）。
【０１１８】
図３０に示すように、ＣＰＵ５８１は、右昇降モータ１０３を一定パルス正転させる（Ｓ２７１）。右昇降体１０２は最上位位置から最下位位置まで下降し、右昇降体１０２は上端位置にて保持される。
【０１１９】
Ｓ２７１の実行後、ＣＰＵ５８１は、右ソレノイド１５２を所定時間に亘りＯＮ状態にした後、ＯＦＦ状態に戻す（Ｓ２７３）。所定時間は一例として１０００ｍｓ（１秒）である。右ソレノイド１５２がＯＮ状態になることで、右ロック部材１５７をロック位置からロック解除位置まで回転する。右昇降体１０２と右装飾体３５は、重力により下方に付勢されることで、下端位置まで落下する（図２８（ｃ）参照）。
【０１２０】
ＣＰＵ５８１は、右昇降モータ１０３の逆転駆動を開始する（Ｓ２７５）。右ラック１０５は、右昇降体１０２を直接的に付勢しながら上昇する（図２８（ｃ）の矢印Ｆ２）。ＣＰＵ５８１は、右昇降センサ１２４がＯＮ状態であるか否かを判断する（Ｓ２７７）。上昇する下被検知物１０７と上被検知物１０４がそれぞれ下検知領域と上検知領域に進入しない限り、右上昇センサ１２５と右落下センサ１２６の両方がＯＮ状態になることはない（Ｓ２７７：ＮＯ）。ＣＰＵ５８１は、右昇降モータ１０３が所定パルス逆転したか否かを判断する（Ｓ２７９）。所定パルスは、例えば右ラック１０５の最大可動量よりも多いパルス数である。右昇降モータ１０３が所定パルス分逆転駆動していない場合（Ｓ２７９：ＮＯ）、ＣＰＵ５８１は処理をＳ２７７に移行する。ＣＰＵ５８１は、Ｓ２７７、Ｓ２７９を繰り返す。右ラック１０５と右昇降体１０２が正常に上昇する場合、右昇降モータ１０３が所定パルス分逆転駆動する前に（Ｓ２７９：ＮＯ）、下被検知物１０７と上被検知物１０４は下検知領域と上検知領域とに進入する（Ｓ２７７：ＹＥＳ）。ＣＰＵ５８１は右昇降モータ１０３の逆転駆動を終了する（Ｓ２８３）。右ラック１０５と右昇降体１０２はそれぞれ、中間位置と作動位置よりも僅かに下方となる位置で停止する（Ｓ２８３）。
【０１２１】
尚、右昇降モータ１０３が所定パルス分の逆転駆動した場合（Ｓ２７９：ＹＥＳ）、ＣＰＵ５８１は、右昇降センサ１２４がＯＮ状態か否かを判断する（Ｓ２８１）。右昇降センサ１２４がＯＮ状態である場合（Ｓ２８１：ＹＥＳ）、ＣＰＵ５８１は処理をＳ２８３に移行する。右昇降センサ１２４がＯＦＦ状態である場合（Ｓ２８１：ＮＯ）、ＣＰＵ５８１は、Ｓ２８３と同様、右昇降モータ１０３の逆転駆動を終了する（Ｓ２９７）。ＣＰＵ５８１は、リトライフラグを１に上書きし、モータ記憶領域５８２Ｃのモータ情報を上書きする（Ｓ２９８）。Ｓ２９８における上書き後のモータ情報は、「右昇降モータ、逆転方向」である。ＣＰＵ５８１はリトライ処理を実行し（Ｓ２９９）、処理をＳ２２１（図２６参照）に移行する。
【０１２２】
例えば、突発的な要因によって、右昇降モータ１０３が逆転しても右ラック１０５と右昇降体１０２が正常に上昇しない場合、右昇降モータ１０３が所定パルス分逆転駆動しても（Ｓ２７９：ＹＥＳ）、右昇降センサ１２４はＯＮ状態にならない（Ｓ２８１：ＮＯ）。この場合、ＣＰＵ５８１は、処理をＳ２９８に移行する。リトライ処理実行後（Ｓ２９９）、ＣＰＵ５８１は右回転復帰処理Ａを終えて右復帰処理に戻り（図２７参照）、右復帰処理を終了する。
【０１２３】
Ｓ２８３の実行後、ＣＰＵ５８１は、右昇降モータ１０３を一定パルス分（１５パルス分）逆転駆動する（Ｓ２８５）。これにより、右ラック１０５と右昇降体１０２はそれぞれ中間位置と作動位置で停止する（図２８（ｃ）参照）。ＣＰＵ５８１は、カウンタ記憶領域５８２Ｄに記憶されるカウンタ値をリセットする（Ｓ２８７）。Ｓ２８７でリセットされるカウンタ値は、右昇降モータ１０３の逆転方向のカウンタ値である。ＣＰＵ５８１は、右回転センサ８１がＯＮ状態であるか否かを判断する（Ｓ２８９）。右装飾体３５が初期回転位置に復帰していないので（Ｓ２８９：ＮＯ）、ＣＰＵ５８１は右回転復帰処理Ｂを実行する（Ｓ２９１）。
【０１２４】
図３１に示すように、ＣＰＵ５８１は、右回転モータ８３の逆転駆動を開始する（Ｓ３０１）。右装飾体３５は、初期回転位置に向けて回転する（図２８（ｃ）の矢印Ｆ３）。ＣＰＵ５８１は、右回転センサ８１がＯＮ状態になったか否かを判断する（Ｓ３０３）。右被検知物が右回転センサ８１の検知領域に到達していない場合（Ｓ３０３：ＮＯ）、ＣＰＵ５８１は、右回転モータ８３が所定パルス分逆転駆動したか否かを判断する（Ｓ３０５）。所定パルスは、右装飾体３５の最大回転量に相当するパルス数である。右回転モータ８３が所定パルス分逆転駆動していない場合（Ｓ３０５：ＮＯ）、ＣＰＵ５８１は処理をＳ３０３に移行する。ＣＰＵ５８１はＳ３０３、Ｓ３０５を繰り返す。右装飾体３５が正常に回転する場合、右回転モータ８３の逆転駆動量が所定パルスとなる前に（Ｓ３０５：ＮＯ）、右被検知物は右回転センサ８１の下検知領域に進入する（Ｓ３０３：ＹＥＳ）。ＣＰＵ５８１は右回転モータ８３の逆転駆動を終了する（Ｓ３０９）。右装飾体３５は、初期回転位置よりも僅かに手前で停止する（Ｓ３０９）。
【０１２５】
尚、右回転モータ８３が所定パルス分逆転駆動した場合（Ｓ３０７：ＹＥＳ）、ＣＰＵ５８１は、右回転センサ８１がＯＮ状態か否かを判断する（Ｓ３０７）。右回転センサ８１がＯＮ状態である場合（Ｓ３０７：ＹＥＳ）、ＣＰＵ５８１は処理をＳ３０９に移行する。右回転センサ８１がＯＦＦ状態である場合（Ｓ３０７：ＮＯ）、ＣＰＵ５８１は、Ｓ３０９同様、右回転モータ８３の逆転駆動を終了する（Ｓ３２５）。ＣＰＵ５８１は、リトライフラグを１に上書きし、モータ記憶領域５８２Ｃのモータ情報を上書きする（Ｓ３２６）。Ｓ３２６における上書き後のモータ情報は、「右回転モータ、逆転方向」である。ＣＰＵ５８１は右回転リトライ処理を実行し（Ｓ３２７）、処理をＳ２２１（図２６参照）に移行する。
【０１２６】
例えば、突発的な要因によって、右回転モータ８３が逆転しても右装飾体３５と右回転体８５が回転しない場合、右回転モータ８３が所定パルス分逆転駆動しても（Ｓ３０５：ＹＥＳ）、右回転センサ８１はＯＮ状態にならない（Ｓ３０７：ＮＯ）。ＣＰＵ５８１は、処理をＳ３２５に移行した後、処理をＳ２２１（図２６参照）に移行する。
【０１２７】
Ｓ３０９の実行後、ＣＰＵ５８１は、右回転モータ８３を８パルス分逆転駆動する（Ｓ３１１）。これにより、右装飾体３５と右回転体８５は共に初期回転位置で停止する（図２８（ｄ）参照）。ＣＰＵ５８１は、カウンタ記憶領域５８２Ｄに記憶されるカウンタ値をリセットする（Ｓ３１３）。Ｓ３１３でリセットされるカウンタ値は、右回転モータ８３の逆転方向のカウンタ値である。ＣＰＵ５８１は、右昇降センサ１２４がＯＮ状態であるか否かを判断する（Ｓ３１５）。右昇降センサ１２４がＯＦＦ状態である場合（Ｓ３１５：ＮＯ）、ＣＰＵ５８１は右昇降復帰処理を実行する（Ｓ３１７）。Ｓ３１７はＳ２６５（図２９参照）と同様の処理である。右昇降復帰処理の実行後（Ｓ３１７）、ＣＰＵ５８１は右回転復帰処理Ｂを終える。本例では、右上昇センサ１２５がＯＮ状態であるので（Ｓ３１５：ＹＥＳ）、ＣＰＵ５８１は右直動センサ６１がＯＮ状態か否かを判断する（Ｓ３１９）。右回転被検知物６９が右直動センサ６１の検知領域から退出しているので（Ｓ３１９：ＮＯ）、ＣＰＵ５８１は、右直動復帰処理Ｂを実行する（Ｓ３２１）。
【０１２８】
図３３に示すように、ＣＰＵ５８１は、右直動モータ６３の逆転駆動を開始する（Ｓ３４１）。右装飾体３５は、離隔位置に向けて移動する（図２８（ｄ）の矢印Ｆ４）。ＣＰＵ５８１は、右直動センサ６１がＯＮ状態になったか否かを判断する（Ｓ３４３）。右回転被検知物６９が右直動センサ６１の検知領域に到達していない場合（Ｓ３４３：ＮＯ）、ＣＰＵ５８１は、右直動モータ６３が所定パルス分逆転駆動したか否かを判断する（Ｓ３４５）。所定パルスは、右装飾体３５の最大左右動量に相当するパルス数である。右直動モータ６３が所定パルス分逆転駆動していない場合（Ｓ３４５：ＮＯ）、ＣＰＵ５８１は、処理をＳ３４３に移行する。ＣＰＵ５８１はＳ３４３、Ｓ３４５を繰り返す。右装飾体３５が正常に右方に移動する場合、右直動モータ６３の逆転駆動量が所定パルスとなる前に（Ｓ３４５：ＮＯ）、右回転被検知物６９は右直動センサ６１の検知領域に進入する（Ｓ３４３：ＹＥＳ）。ＣＰＵ５８１は右直動モータ６３の逆転駆動を終了する（Ｓ３４９）。右装飾体３５は、離隔位置よりも僅かに手前で停止する（Ｓ３４９）。
【０１２９】
尚、右直動モータ６３が所定パルス分逆転駆動した場合（Ｓ３４５：ＹＥＳ）、ＣＰＵ５８１は、右直動センサ６１がＯＮ状態か否かを判断する（Ｓ３４７）。右直動センサ６１がＯＮ状態である場合（Ｓ３４７：ＹＥＳ）、ＣＰＵ５８１は処理をＳ３４９に移行する。右直動センサ６１がＯＦＦ状態である場合（Ｓ３４７：ＮＯ）、ＣＰＵ５８１は、Ｓ３４９同様、右直動モータ６３の逆転駆動を終了し（Ｓ３５５）する。ＣＰＵ５８１は、リトライフラグを１に上書きして、モータ記憶領域５８２Ｃのモータ情報を上書きする（Ｓ３５６）。Ｓ３５６における上書き後のモータ情報は、「右直動モータ、逆転方向」である。ＣＰＵ５８１は、リトライ処理を実行し（Ｓ３５７）、処理をＳ２２１（図２６参照）に移行する。
【０１３０】
例えば、突発的な要因によって、右直動モータ６３が逆転しても右装飾体３５が右方に移動しない場合、右直動モータ６３が所定パルス分逆転駆動しても（Ｓ３４５：ＹＥＳ）、右直動センサ６１はＯＮ状態にならない（Ｓ３４７：ＮＯ）。この場合、ＣＰＵ５８１は、処理をＳ３５５に移行する。
【０１３１】
Ｓ３４９の実行後、ＣＰＵ５８１は、右直動モータ６３を３０パルス分逆転駆動する（Ｓ３５１）。これにより、右装飾体３５は離隔位置で停止する（図２８（ｅ）参照）。右装飾体３５は初期状態に戻る。ＣＰＵ５８１は、カウンタ記憶領域５８２Ｄのカウンタ値をリセットして（Ｓ３５３）、右直動復帰処理Ｂを終了する。Ｓ３５３でリセットされるカウンタ値は、右回転モータ８３の逆転方向のカウンタ値である。その後、ＣＰＵ５８１は、右回転復帰処理Ｂ（図３１参照）、右昇降処理（図３０参照）、右回転復帰処理Ａ（図２９参照）を順に終了し、右復帰処理（図２７参照）に戻って処理を終了する。
【０１３２】
＜９−２−２．右直動センサ６１がＯＮ、右上昇センサ１２５と右回転センサ８１がＯＦＦの場合＞
図２７、図２９〜図３４を参照し、右装飾体３５が、離隔位置に配置される一方で、初期回転位置と作動位置には配置されていない時の右復帰処理を説明する。例えば図３４（ａ）に示すように、右装飾体３５は、初期回転位置と作動回転位置との間となる回転位置にあり、作動位置よりも下方にある。尚、上述した右復帰処理と重複する処理については、以下説明を簡略化する。
【０１３３】
図２７に示すように、ＣＰＵ５８１は、右上昇センサ１２５がＯＦＦ状態であると判断し（Ｓ２３１：ＮＯ）、右回転センサ８１がＯＦＦ状態であると判断し（Ｓ２３３：ＮＯ）、右直動センサ６１がＯＮ状態であると判断し（Ｓ２３５：ＹＥＳ）、右直動復帰処理Ａを実行する（Ｓ２３９）。
【０１３４】
図３２に示すように、ＣＰＵ５８１は、右直動モータ６３を一定パルス分正転させる（Ｓ３３１）。右装飾体３５は左方に移動する（図３４（ａ）の矢印Ｆ５）。一定パルスは、右装飾体３５の最大左右動量の約半分に相当するパルス数である。これにより、右装飾体３５は離隔位置と近接位置との間となる位置で停止する。尚、ＣＰＵ５８１は、Ｓ３３１の実行時に、右近接センサ６２の検知結果を監視する。そして、右直動モータ６３の正転駆動量が一定パルス分の駆動量に達する前に、右装飾体３５が近接位置に到達した場合、ＣＰＵ５８１はその瞬間に右直動モータ６３の正転駆動を駆動停止する（Ｓ３３１）。
【０１３５】
ＣＰＵ５８１は、右昇降センサ１２４がＯＮ状態であるか否かを判断する（Ｓ３３３）。右装飾体３５は作動位置よりも僅かに下方にあるので（Ｓ３３３：ＮＯ）、ＣＰＵ５８１は右昇降復帰処理を実行する（Ｓ３３５）。Ｓ３３５は、上述のＳ３１７（図３１参照）と同様の処理である。
【０１３６】
図３０に示されるＳ２７１、Ｓ２７３をＣＰＵ５８１が実行することで、右装飾体３５は下端位置まで落下する（図３４（ｂ）の矢印Ｆ６）。ＣＰＵ５８１がＳ２７５〜Ｓ２８５を実行することで、右装飾体３５は、下端位置から作動位置まで上昇する（図３４（ｃ）参照）。右回転センサ８１はＯＦＦ状態であるので（Ｓ２８９：ＮＯ）、ＣＰＵ５８１は右回転復帰処理Ｂを実行する（Ｓ２９１）。
【０１３７】
図３１に示されるＳ３０１〜Ｓ３１１が実行されることで、右装飾体３５は初期回転位置まで回転する（図３４（ｃ）、（ｄ）参照）。右上昇センサ１２５はＯＮ状態であり（Ｓ３１５：ＹＥＳ）、右直動センサ６１はＯＦＦ状態であるので（Ｓ３１９：ＮＯ）、ＣＰＵ５８１は右直動復帰処理Ｂを実行する（Ｓ３２１）。図３３に示されるＳ３４１〜Ｓ３５１が実行されることで、右装飾体３５は離隔位置まで移動する（図３４（ｅ）参照）。ＣＰＵ５８１は、右直動復帰処理Ｂ、右回転復帰処理Ｂ、右昇降復帰処理、右直動復帰処理Ａを順に終了し、右復帰処理に戻り処理を終了する。
【０１３８】
＜９−２−３．右回転センサ８１がＯＮ、右昇降センサ１２４と右直動センサ６１がＯＦＦの場合＞
図２７、図３０、図３３、図３５を参照し、右装飾体３５が、初期回転位置に配置される一方で、作動位置と離隔位置には配置されていないときの右復帰処理を説明する。例えば図３５（ａ）に示すように、右装飾体３５は、離隔位置と近接位置との間にあり、作動位置よりも下方にある。
【０１３９】
図２７で示すように、ＣＰＵ５８１は、右上昇センサ１２５がＯＦＦ状態であると判断し（Ｓ２３１：ＮＯ）、右回転センサ８１がＯＮ状態であると判断し（Ｓ２３３：ＹＥＳ）、右直動センサ６１がＯＦＦ状態であると判断し（Ｓ２４１：ＮＯ）、右直動復帰処理Ｂを実行する（Ｓ２４２）。
【０１４０】
図３３で示されるＳ３４１〜Ｓ３５１が実行されることで、右装飾体３５は、離隔位置まで移動する（図３５（ａ）、（ｂ）参照）。図２７で示すように、ＣＰＵ５８１は、Ｓ２４２の実行後、右昇降復帰処理を実行する（Ｓ２４３）。図３０で示されるＳ２７１〜Ｓ２８５が実行されることで、右装飾体３５は、作動位置まで上昇する（図３５（ｂ）、（ｃ）参照）。右装飾体３５は初期回転位置にあるので（Ｓ２８９：ＹＥＳ）、ＣＰＵ５８１は右直動センサ６１がＯＮ状態か否かを判断する（Ｓ２９３）。右装飾体３５は離隔位置にあるので（Ｓ２９３：ＹＥＳ）、ＣＰＵ５８１は右昇降復帰処理、右直動復帰処理Ｂを順に終了し、右復帰処理に戻って処理を終了する。
【０１４１】
＜９−２−４．右昇降センサ１２４がＯＦＦ、右回転センサ８１と右直動センサ６１がＯＮの場合＞
図２７、図３０、図３２、図３３、図３６を参照し、右装飾体３５が、初期回転位置と離隔位置に配置される一方で、作動位置に配置されていないときの右復帰処理を説明する。例えば図３６（ａ）に示すように、右装飾体３５は作動位置よりも下方にある。
【０１４２】
図２７で示すように、ＣＰＵ５８１は、右上昇センサ１２５がＯＦＦ状態であると判断し（Ｓ２３１：ＮＯ）、右回転センサ８１がＯＮ状態であると判断し（Ｓ２３３：ＹＥＳ）、右直動センサ６１がＯＮ状態であると判断し（Ｓ２４１：ＹＥＳ）、右直動復帰処理Ａを実行する（Ｓ２４５）。
【０１４３】
図３２で示すように、ＣＰＵ５８１はＳ３３１を実行することで、右装飾体３５は、離隔位置と近接位置との間まで移動する（図３６（ａ）、（ｂ）参照）。右昇降センサ１２４はＯＦＦ状態であるので（Ｓ３３３：ＮＯ）、ＣＰＵ５８１は右昇降復帰処理を実行する（Ｓ３３５）。図３０で示されるＳ２７１〜Ｓ２８５が実行されることで、右装飾体３５は下端位置まで落下した後に作動位置まで上昇する（図３６（ｃ）参照）。右回転センサ８１はＯＮ状態である（Ｓ２８９：ＹＥＳ）。ＣＰＵ５８１は、右直動センサ６１がＯＮ状態であるか否かを判断する（Ｓ２９３）。右直動センサ６１がＯＦＦ状態であるので（Ｓ２９３：ＮＯ）、ＣＰＵ５８１は右直動復帰処理Ｂを実行する（Ｓ２９５）。Ｓ２９１はＳ２３２１（図３１参照）と同様の処理である。図３３で示されるＳ３４１〜Ｓ３５１が実行されることで、右装飾体３５は離隔位置まで移動する（図３６（ｄ）参照）。ＣＰＵ５８１は、右直動復帰処理Ｂ、右昇降処理、右直動復帰処理Ａを順に終了し、右復帰処理に戻って処理を終了する。
【０１４４】
＜９−２−５．右昇降センサ１２４がＯＮ、右回転センサ８１と右直動センサ６１がＯＦＦの場合＞
図２７、図３１、図３３、図３７を参照し、右装飾体３５が、作動位置に配置される一方で、初期回転位置と離隔位置に配置されていない時の右復帰処理を説明する。例えば図３７（ａ）に示すように、右装飾体３５は初期回転位置と作動回転位置との間に配置されると共に、離隔位置と近接位置との間に配置される（図３７（ａ）参照）。
【０１４５】
図２７で示すように、ＣＰＵ５８１は、右昇降センサ１２４がＯＮ状態であると判断し（Ｓ２３１：ＹＥＳ）、右回転センサ８１がＯＦＦ状態であると判断し（Ｓ２４７：ＮＯ）、右直動センサ６１がＯＦＦ状態であると判断し（Ｓ２４９：ＮＯ）、右回転復帰処理Ｂを実行する（Ｓ２５１）。Ｓ２５１はＳ２９１（図３０参照）と同様の処理である。
【０１４６】
図３１で示されるＳ３０１〜Ｓ３１１が実行されることで、右装飾体３５は初期回転位置まで回転する（図３７（ａ）、（ｂ）参照）。右昇降センサ１２４はＯＮ状態であり（Ｓ３１５：ＹＥＳ）、右直動センサ６１はＯＦＦ状態である（Ｓ３１９：ＮＯ）。ＣＰＵ５８１は、右直動復帰処理Ｂを実行する（Ｓ３２１）。図３３で示されるＳ３４１〜Ｓ３５１が実行されることで、右装飾体３５は離隔位置まで移動する（図３７（ｂ）、（ｃ）参照）。ＣＰＵ５８１は、右直動復帰処理Ｂと右回転復帰処理Ｂを順に終了し、右復帰処理に戻って処理を終了する。
【０１４７】
＜９−２−６．右昇降センサ１２４と右直動センサ６１がＯＮ、右回転センサ８１がＯＦＦの場合＞
図２７、図３３、図３２、図３８を参照し、右装飾体３５が、作動位置と離隔位置に配置される一方で、初期回転位置に配置されていない時の右復帰処理を説明する。例えば図３８（ａ）に示すように、右装飾体３５は初期回転位置から約１０°ずれた位置に配置される。
【０１４８】
図２７に示すように、ＣＰＵ５８１は、右昇降センサ１２４がＯＮ状態であると判断し（Ｓ２３１：ＹＥＳ）、右回転センサ８１がＯＦＦ状態であると判断し（Ｓ２４７：ＮＯ）、右直動センサ６１がＯＮ状態であると判断し（Ｓ２４９：ＹＥＳ）、右直動復帰処理Ａを実行する（Ｓ２５３）。尚、Ｓ２５３はＳ２４５と同様の処理である。
【０１４９】
図３２で示されるＳ２３１が実行されることで、右装飾体３５は、近接位置と離隔位置との間まで移動する（図３８（ａ）、（ｂ）参照）。右昇降センサ１２４はＯＮ状態であり（Ｓ３３３：ＹＥＳ）、右回転センサ８１はＯＦＦ状態である（Ｓ３３７：ＮＯ）。尚、ＣＰＵ５８１は、右回転復帰処理Ａを実行する（Ｓ３３９）。図２９で示されるＳ２６１が実行されることで、本例では右装飾体３５は初期回転位置まで移動する（図３８（ｃ）参照）。右昇降センサ１２４はＯＮ状態であるので（Ｓ２６３：ＹＥＳ）、ＣＰＵ５８１は右直動復帰処理Ｂを実行する（Ｓ２６７）。Ｓ２６７はＳ２４２（図２７参照）と同様の処理である。図３３で示されるＳ２３４１〜Ｓ２３５１が実行されることで、右装飾体３５は離隔位置まで戻る（図３８（ｃ）、（ｄ）参照）。ＣＰＵ５８１は、右直動復帰処理Ｂと右回転復帰処理Ａを順に終了し、右復帰処理に戻って処理を終了する。
【０１５０】
＜９−２−７．右昇降センサ１２４と右回転センサ８１がＯＮ、右直動センサ６１がＯＦＦの場合＞
図２７、図３３、図３８（ｃ）、（ｄ）を参照し、右装飾体３５が、作動位置と初期回転位置に配置される一方で、離隔位置に配置されていないときの右復帰処理を説明する。例えば図３８（ｃ）に示すように、右装飾体３５は、近接位置と離隔位置との間に配置される。
【０１５１】
図２７で示すように、ＣＰＵ５８１は、右昇降センサ１２４がＯＮ状態であると判断し（Ｓ２３１：ＹＥＳ）、右回転センサ８１がＯＮ状態であると判断し（Ｓ２４７：ＹＥＳ）、右直動センサ６１がＯＦＦ状態であると判断し（Ｓ２５５：ＮＯ）、右直動復帰処理Ｂを実行する（Ｓ２５７）。Ｓ２５７はＳ２４２（図２７参照）と同様の処理である。
【０１５２】
図３３で示されるＳ３４１〜Ｓ３５１が実行されることで、右装飾体３５は、離隔位置まで移動する（図３８（ｃ）、（ｄ）参照）。ＣＰＵ５８１は、右直動復帰処理Ｂを終了し、右復帰処理に戻って処理を終了する。
【０１５３】
尚、図２７で示すように、右装飾体３５が初期状態にある状態で右復帰処理が開始された場合、ＣＰＵ５８１は、右昇降センサ１２４、右回転センサ８１、及び右直動センサ６１がそれぞれＯＮ状態であると判断し（Ｓ２３１：ＹＥＳ、Ｓ２４７：ＹＥＳ、Ｓ２５５：ＹＥＳ）、右復帰処理を終了する。
【０１５４】
＜９−３．左復帰処理＞
左復帰処理は右復帰処理と同様の処理であり、左復帰処理での左装飾体３４の動作は、右復帰処理での右装飾体３５の動作と左右対称である。説明の重複を避ける都合、左復帰処理の説明を省略する。
【０１５５】
＜１０．リトライ処理＞
＜１０−１．リトライ処理の概要＞
図３９、図４０を参照し、リトライ処理の概要を説明する。リトライ処理は、直前まで所定方向に駆動していたモータ（直動モータ３６３、回転モータ３８３、昇降モータ３０３、）を、いったん反対方向に駆動した後、再度そのモータを所定方向に駆動する処理である。リトライ処理の実行時、ＣＰＵ５８１は、直動センサ３６１、回転センサ３８１、昇降センサ３２４の検知結果に関する情報（即ち、ＯＮ信号とＯＦＦ信号）に基づき、直動モータ３６３、回転モータ３８３、昇降モータ３０３を駆動制御する。以下の説明では、各種モータは、回転駆動を明示する説明がない場合には、駆動停止状態であるものとする。
【０１５６】
ＣＰＵ５８１は、リトライ処理が連続して開始されたか否かを判断する（Ｓ４１１）。ＣＰＵ５８１は、リトライフラグ記憶領域５８２Ｂに記憶されたリトライフラグを参照する。リトライフラグが１である場合、ＣＰＵ５８１はリトライ処理が連続して開始されたと判断し（Ｓ４１１：ＹＥＳ）、処理をＳ４５３に移行する。Ｓ４５３以降の詳細は後述する。
【０１５７】
リトライフラグが０である場合、ＣＰＵ５８１はリトライ処理が連続開始されていないと判断し（Ｓ４１１：ＮＯ）、リトライフラグを０に上書きする（Ｓ４１３）。ＣＰＵ５８１は、リトライ処理の開始直前に昇降モータ３０３が駆動していたか否かを、モータ情報を参照することで判断する（Ｓ４１５）。
【０１５８】
リトライ処理の開始直前に昇降モータ３０３が駆動していた場合（Ｓ４１５：ＹＥＳ）、ＣＰＵ５８１は、はずれ変動中であるか否かを、特定演出情報記憶領域５８２Ｅを参照することで判断する（Ｓ４１７）。特定演出情報が１である場合（Ｓ４１７：ＹＥＳ）、特定演出情報が０に上書きされるまで（特別図柄の変動表示が完了するまで）ＣＰＵ５８１は待機する。
【０１５９】
はずれ変動中でない場合（Ｓ４１７：ＮＯ）、ＣＰＵ５８１は近接センサ３６２がＯＮ状態であるか否かを判断する（Ｓ４１９）。近接センサ３６２がＯＮ状態である場合（Ｓ４１９：ＹＥＳ）、ＣＰＵ５８１は処理をＳ４２１に移行する。
【０１６０】
ＣＰＵ５８１は、リトライ処理の開始直前に駆動していた昇降モータ３０３は正転駆動していたか否かを、ＲＡＭ５８２のモータ情報を参照することで判断する（Ｓ４２１）。リトライ処理の開始直前に、右昇降モータ１０３が正転駆動していた場合（Ｓ４２１：ＹＥＳ）、ＣＰＵ５８１は昇降正転リトライ処理を実行する（Ｓ４２３）。リトライ処理の開始直前に駆動していた昇降モータ３０３が逆転駆動していた場合（Ｓ４２１：ＮＯ）、ＣＰＵ５８１は昇降逆転リトライ処理を実行する（Ｓ４２５）。昇降正転リトライ処理と昇降逆転リトライ処理はいずれも、右昇降モータ１０３と左昇降モータ２０３が同時に駆動する処理である（詳細は後述）。近接センサ３６２がＯＮ状態の場合（Ｓ４１９：ＹＥＳ）、右装飾体３５と左装飾体３４は互いに接触し得る位置関係にあるが、右昇降モータ１０３と左昇降モータ２０３が同時に駆動することで、右装飾体３５と左装飾体３４の衝突を防止できる。
【０１６１】
近接センサ３６２がＯＦＦ状態である場合（Ｓ４１９：ＮＯ）、ＣＰＵ５８１は特定昇降リトライ処理を実行する（Ｓ４２７）。特定昇降リトライ処理は、右装飾体３５と左装飾体３４のいずれかを動作させる処理である。近接センサ３６２がＯＦＦ状態である場合、右装飾体３５と左装飾体３４は互いの可動範囲に進入していないので、右装飾体３５と左装飾体３４の一方を動作させても、他方と衝突することはない。ＣＰＵ５８１は、Ｓ４２３、Ｓ４２５、Ｓ４２７のいずれかを実行した後、リトライ処理を終了する。
【０１６２】
リトライ処理の開始直前に昇降モータ３０３が駆動していなかった場合（Ｓ４１５：ＮＯ）、ＣＰＵ５８１は、リトライ処理の開始直前に回転モータ３８３が駆動していたか否かを、ＲＡＭ５８２のモータ情報を参照することで判断する（Ｓ４２９）。リトライ処理の開始直前に回転モータ３８３が駆動していた場合（Ｓ４２９：ＹＥＳ）、ＣＰＵ５８１は、リトライ処理の開始直前に駆動していた回転モータ３８３は正転駆動していたか否かを、ＲＡＭ５８２のモータ情報を参照することで判断する（Ｓ４３１）。回転モータ３８３が正転駆動していた場合（Ｓ４３１：ＹＥＳ）、ＣＰＵ５８１は回転正転リトライ処理を実行し（Ｓ４３３）、回転モータ３８３が逆転駆動していた場合（Ｓ４３１：ＮＯ）、ＣＰＵ５８１は回転逆転リトライ処理を実行する（Ｓ４３５）。回転逆転リトライ処理と回転リトライ正転処理は、いずれも、右回転モータ８３と左回転モータ２８３が同時に駆動する処理である（詳細は後述）。ＣＰＵ５８１は、Ｓ４３３又はＳ４３５を実行した後、リトライ処理を終了する。
【０１６３】
リトライ処理の開始直前に回転モータ３８３が駆動していなかった場合（Ｓ４２９：ＮＯ）、ＣＰＵ５８１は、リトライ処理の開始直前に直動モータ３６３が駆動していたか否かを、ＲＡＭ５８２のモータ情報を参照することで判断する（Ｓ４３７）。リトライ処理開始直前に直動モータ３６３が駆動していなかった場合（Ｓ４３７：ＮＯ）、ＣＰＵ５８１はリトライ処理を終了する。一方、リトライ処理開始直前に直動モータ３６３が駆動していた場合（Ｓ４３７：ＹＥＳ）、ＣＰＵ５８１は、駆動していた直動モータ３６３が右直動モータ６３であったか否かを、ＲＡＭ５８２のモータ情報を参照することで判断する（Ｓ４３９）。左直動モータ２６３が駆動していた場合（Ｓ４３９：ＮＯ）、ＣＰＵ５８１は処理をＳ４４７に移行する。
【０１６４】
右直動モータ６３が駆動していた場合（Ｓ４３９：ＹＥＳ）、ＣＰＵ５８１は、右直動モータ６３が正転駆動していたか否かを、ＲＡＭ５８２のモータ情報を参照することで判断する（Ｓ４４１）。右直動モータ６３が正転駆動していた場合（Ｓ４４１：ＹＥＳ）、ＣＰＵ５８１は右直動正転リトライ処理を実行し（Ｓ４４３）、右直動モータ６３が逆転駆動していた場合（Ｓ４４１：ＮＯ）、ＣＰＵ５８１は右直動逆転リトライ処理を実行する（Ｓ４４５）。右直動逆転リトライ処理と右直動正転リトライ処理は、いずれも左直動モータ２６３を駆動停止した状態で、右直動モータ６３を駆動する処理である（詳細は後述）。ＣＰＵ５８１は、Ｓ４４３又はＳ４４５を実行した後、ＲＡＭ５８２のモータ情報を参照することで、リトライ処理開始直前に左直動モータ２６３が駆動していたか否かを判断する（Ｓ４４６）。左直動モータ２６３が駆動していなかった場合（Ｓ４４６：ＮＯ）、ＣＰＵ５８１はリトライ処理を終了する。リトライ処理開始直前に左直動モータ２６３が駆動していた場合（Ｓ４４６：ＹＥＳ）、ＣＰＵ５８１は処理をＳ４４７に移行する。
【０１６５】
左直動モータ２６３が駆動していた場合（Ｓ４３９：ＮＯ、又はＳ４４６：ＹＥＳ）、ＣＰＵ５８１は、左直動モータ２６３が正転駆動していたか否かを、ＲＡＭ５８２のモータ情報を参照することで判断する（Ｓ４４７）。左直動モータ２６３が正転駆動していた場合（Ｓ４４７：ＹＥＳ）、ＣＰＵ５８１は左直動正転リトライ処理を実行し（Ｓ４４９）、左直動モータ２６３が逆転駆動していた場合（Ｓ４４７：ＮＯ）、ＣＰＵ５８１は左直動逆転リトライ処理を実行する（Ｓ４５１）。左直動逆転リトライ処理と左直動正転リトライ処理は、右直動モータ６３を駆動停止した状態で、左直動モータ２６３を駆動する処理である（詳細は後述）。ＣＰＵ５８１は、Ｓ４４９又はＳ４５１を実行した後、リトライ処理を終了する。
【０１６６】
＜１０−２．昇降正転リトライ処理＞
図４１、図４２を参照し、昇降正転リトライ処理を説明する。例えば、図２０で示される昇降処理のＳ９１、Ｓ９３、Ｓ７９が順に実行されるとき、昇降正転リトライ処理は実行される。以下では、右装飾体３５と左装飾体３４がいずれも作動位置と上端位置にある場合（図４２（ａ）参照）を例に昇降正転リトライ処理を説明する。また、右装飾体３５と左装飾体３４はいずれも近接位置にあるものとする。
【０１６７】
ＣＰＵ５８１は、ソレノイド３５２をＯＮ状態にしてロック部材２５７をロック解除位置まで回転させ、昇降モータ３０３を４００パルス分逆転駆動する（Ｓ４９１）。右装飾体３５と左装飾体３４は、ラック２０５によって略同じタイミングで押し上げられて上端位置に到達し（図４２（ｂ）参照）、昇降モータ３０３は継続して逆転駆動する。昇降モータ３０３の駆動量が４００パルス分の駆動量になったとき、ＣＰＵ５８１は昇降モータ３０３を駆動停止する（Ｓ４９１）。
【０１６８】
ＣＰＵ５８１は、ソレノイド３５２をＯＮ状態にして、昇降センサ３２４がＯＮ状態になるまで、昇降モータ３０３を正転駆動する（Ｓ４９３）。正常な動作が実行される場合、右装飾体３５と左装飾体３４は、作動位置よりも僅かに上方となる位置まで下降する（図４２（ｃ）参照）。
【０１６９】
ＣＰＵ５８１は、昇降センサ３２４がＯＮ状態であるか否かを判断する（Ｓ４９５）。Ｓ４９３の処理で正常な動作が実行されない場合、右装飾体３５と左装飾体３４は昇降センサ３２４の検知領域まで進入しない（Ｓ４９５：ＮＯ）。ＣＰＵ５８１はリトライフラグを１に上書きして、モータ記憶領域５８２Ｃのモータ情報を上書きする（Ｓ４９７）。Ｓ４９７における上書き後のモータ情報は、「右昇降モータ、正転方向」と「左昇降モータ、正転方向」である。ＣＰＵ５８１は、処理をＳ４１１（図３９参照）に移行する。
【０１７０】
Ｓ４９３で正常な動作が実行された場合、昇降センサ３２４はＯＮ状態となる（Ｓ４９５：ＹＥＳ）。ＣＰＵ５８１は、ソレノイド３５２をＯＮ状態にしてロック部材２５７をロック解除位置に回動した後、昇降センサ３２４がＯＦＦ状態になるまで昇降モータ３０３を正転駆動する。これにより、右装飾体３５と左装飾体３４は作動位置と下端位置との間で停止する（図４２（ｄ）参照）。
【０１７１】
ＣＰＵ５８１は、昇降センサ３２４がＯＦＦ状態になったか否かを判断する（Ｓ５０１）。Ｓ４９９の実行時に正常な動作が実行されない場合、右装飾体３５と左装飾体３４は昇降センサ３２４の検知領域から退出しない（Ｓ５０１：ＮＯ）。この場合、ＣＰＵ５８１は処理を４９７に移行する。右装飾体３５と左装飾体３４が昇降センサ３２４の検知領域から退出している場合（Ｓ５０１：ＹＥＳ）、ＣＰＵ５８１は、昇降モータ３０３を更に２０パルス分正転駆動する（Ｓ５０３）。右装飾体３５と左装飾体３４は更に下降して停止する（図４２（ｅ）参照）。ＣＰＵ５８１は、ＲＡＭ５８２に記憶のリトライカウンタ値をリセットする（Ｓ５０５）。Ｓ５０５でリセットされるカウンタ値は、右昇降モータ１０３の正転方向のカウンタ値と、左昇降モータ２０３の正転方向のカウンタ値である。ＣＰＵ５８１は、ＲＡＭ５８２に記憶のリトライフラグを０に上書きして（Ｓ５０７）、処理をＳ２２１（図２６参照）に移行する。Ｓ２２１以降が実行されることで、右装飾体３５と左装飾体３４は初期状態に復帰する。
【０１７２】
＜１０−３.昇降逆転リトライ処理＞
図４３、図４４を参照し、昇降逆転リトライ処理を説明する。例えば、図２０で示される昇降処理のＳ７５、Ｓ７７、７９が順に実行されるとき、昇降逆転リトライ処理は開始される。例えば、昇降逆転リトライ処理の開始時、右装飾体３５は、近接位置より僅かに右方となる左右方向位置、且つ作動位置と上端位置との間となる上下方向位置にある。また、左装飾体３４は、近接位置より僅かに左方となる左右方向位置、且つ作動位置にある（図４４（ａ）参照）。図４４（ａ）のような右装飾体３５と左装飾体３４の配置状態は、例えば、Ｓ７５の（図２０参照）の終了後に、パチンコ機１に突発的な外力が作用した場合に生じる。突発的な外力は、例えば、ホール内の通路を歩くスタッフが不意に転倒してパチンコ機１と接触する時、等に生じる。
【０１７３】
ＣＰＵ５８１は、ソレノイド３５２をＯＮ状態にして、昇降モータ３０３を例えば１５０パルス分正転駆動する（Ｓ４７１）。昇降モータ３０３の正転駆動に伴って、右装飾体３５と左装飾体３４は、同じタイミングで下降をし始める。本説明では、Ｓ４７１の実行開始時、右装飾体３５と左装飾体３４が作動位置よりも下方には配置されていない。従って、昇降モータ３０３の駆動量が１５０パルス分となる前に、右装飾体３５と左装飾体３４が下端位置に到達することはないが、もし仮に、昇降モータ３０３の駆動量が１５０パルス分となる前に右装飾体３５と左装飾体３４が下端位置に到達したとき、ＣＰＵ５８１は昇降モータ３０３の正転駆動をその瞬間に停止する。停止の方法は、Ｓ１２３（図２３参照）と同様である。Ｓ４７１の実行後、右装飾体３５と左装飾体３４は、例えば、作動位置と下端位置との間で停止する（図４４（ｂ）参照）。
【０１７４】
昇降モータ３０３が１５０パルス分の正転駆動しかしないので、昇降逆転リトライ処理開始時に図４４（ａ）で示される状態だった右装飾体３５と左装飾体３４は、下端位置には到達しない。右装飾体３５と左装飾体３４が上下方向に大きく動くことがないので、ＣＰＵ５８１がＳ４７１を実行しても、遊技者に有利な演出（例えば当たり報知演出）が開始されたという誤解を遊技者に与えることはない。
【０１７５】
Ｓ４７１の実行後、ＣＰＵ５８１は、ソレノイド３５２をＯＮ状態にしてロック部材２５７をロック解除位置まで回転させた後、昇降センサ３２４がＯＮ状態になるまで昇降モータ３０３を逆転駆動する（Ｓ４７３）。不具合がなければ、昇降モータ３０３の逆転駆動に伴って右装飾体３５と左装飾体３４は、作動位置よりも僅かに下方となる位置まで上昇する（図４４（ｃ）参照）。右昇降モータ１０３は右近接センサ６２がＯＮ状態になった瞬間に停止し、左昇降モータ２０３は左近接センサ２６２がＯＮ状態になった瞬間に停止する。正常に動作した場合、Ｓ４７３の実行後の右装飾体３５と左装飾体３４は、互いに同じ上下位置（作動位置よりも僅かに下方の位置）に配置される（図４４（ｃ）参照）。ＣＰＵ５８１はソレノイド３５２をＯＦＦ状態に戻す（Ｓ４７３）。
【０１７６】
ＣＰＵ５８１は、昇降センサ３２４がＯＮ状態であるか否かを判断する（Ｓ４７５）。何らかの不具合によって、Ｓ４７３が実行されても右装飾体３５と左装飾体３４が正常に上昇しなかった場合、右装飾体３５と左装飾体３４の少なくとも一方は昇降センサ３２４の検知領域よりも下方で停止する（Ｓ４７５：ＮＯ）。ＣＰＵ５８１は、リトライフラグを１に上書きして、モータ記憶領域５８２Ｃのモータ情報を上書きする（Ｓ４７９）。Ｓ４７９で上書きするモータ情報は、右昇降モータ１０３と左昇降モータ２０３のうちで正常駆動しなかったモータが逆転方向していたことを示す情報である。ＣＰＵ５８１は、処理をＳ４１１（図３９参照）に移行する。
【０１７７】
昇降センサ３２４がＯＮ状態である場合（Ｓ４７５：ＹＥＳ）、ＣＰＵ５８１は、昇降モータ３０３を１５パルス分逆転駆動する（Ｓ４８１）。右装飾体３５と左装飾体３４は作動位置にて停止する（図４４（ｄ）参照）。ＣＰＵ５８１は、ＲＡＭ５８２のカウンタ記憶領域５８２Ｄに記憶のカウンタ値をリセットする（Ｓ４８３）。Ｓ４８３でリセットされるカウンタ値は、右昇降モータ１０３の逆転方向のカウンタ値と、左昇降モータ２０３の逆転方向のカウンタ値である。ＣＰＵ５８１は、ＲＡＭ５８２に記憶のリトライフラグを０に上書きして（Ｓ４８５）、処理をＳ２２１（図２６参照）に移行する。
【０１７８】
尚、詳細な説明は省略するが、昇降逆転リトライ処理開始時に、左装飾体３４は、左昇降センサ２２４の検知領域から下方に退出した位置に配置されていてもよい。この場合であっても、昇降逆転リトライ処理は実行される。つまり、左装飾体３４の上下方向位置に関わらず、昇降逆転リトライ処理は実行される。
【０１７９】
＜１０−４.特定昇降リトライ＞
図４５を参照し、特定昇降リトライ処理を説明する。ＣＰＵ５８１は、リトライ処理（図３９参照）開始直前に右昇降モータ１０３が駆動していたか否かを、ＲＡＭ５８２のモータ情報を参照することで判断する（Ｓ５１１）。右昇降モータ１０３がリトライ処理開始直前に駆動していた場合（Ｓ５１１：ＹＥＳ）、ＣＰＵ５８１は右昇降モータ１０３が正転駆動していたか否かを判断する（Ｓ５１３）。右昇降モータ１０３が正転駆動していた場合（Ｓ５１３：ＹＥＳ）、右昇降正転リトライ処理を実行する（Ｓ５１５）。右昇降モータ１０３が逆転駆動していた場合（Ｓ５１３：ＮＯ）、ＣＰＵ５８１は右昇降逆転リトライ処理を実行する（Ｓ５１７）。ＣＰＵ５８１は、Ｓ５１５又はＳ５１７を実行した後、リトライ処理開始直前に左昇降モータ２０３が駆動していたか否かを、ＲＡＭ５８２のモータ情報を参照することで判断する（Ｓ５２０）。左昇降モータ２０３が駆動していなかった場合（Ｓ５２０：ＮＯ）、ＣＰＵ５８１は特定リトライ処理を終了し、リトライ処理に戻る。左昇降モータ２０３が駆動していた場合（Ｓ５２０：ＹＥＳ）、ＣＰＵ５８１は処理をＳ５１９に移行する。
【０１８０】
リトライ処理開始直前に左昇降モータ２０３が駆動していた場合（Ｓ５１１：ＮＯ、又はＳ５２０：ＹＥＳ）、ＣＰＵ５８１は、左昇降モータ２０３が正転駆動していたか否かを判断する（Ｓ５１９）。左昇降モータ２０３が正転駆動していた場合（Ｓ５１９：ＹＥＳ）、ＣＰＵ５８１は左昇降正転リトライ処理を実行する（Ｓ５２１）。左昇降モータ２０３が逆転駆動していた場合（Ｓ５１９：ＮＯ）、ＣＰＵ５８１は左昇降逆転リトライ処理を実行する（Ｓ５２３）。
【０１８１】
右昇降正転リトライ処理（Ｓ５１５）と左昇降正転リトライ処理（Ｓ５２１）は、いずれも、右昇降モータ１０３と左昇降モータ２０３のいずれか一方のモータを駆動しない場合を除いて、昇降正転リトライ処理（Ｓ４２３）と同様の処理である。また、右昇降逆転リトライ処理（Ｓ５１７）と左昇降逆転リトライ処理（Ｓ５２３）は、いずれも、右昇降モータ１０３と左昇降モータ２０３のいずれか一方のモータを駆動しない場合を除いて、昇降逆転リトライ処理（Ｓ４２５）と同様の処理である。右昇降正転リトライ処理、右昇降逆転リトライ処理、左昇降正転リトライ処理、及び左昇降逆転リトライ処理が実行されても、右装飾体３５と左装飾体３４がいずれも離隔位置にあるので、右装飾体３５と左装飾体３４が互いに接触（衝突）することはない。これらの処理の実行後、ＣＰＵ５８１は特定リトライ処理を終了する。
【０１８２】
＜１０−５.回転正転リトライ処理＞
図４６、図４７を参照し、回転正転リトライ処理を説明する。例えば、図２４で示される回転処理のＳ１３９、Ｓ１４１、Ｓ１４３が順に実行される時、回転正転リトライ処理は実行される。以下、Ｓ１３９が実行された場合に、右装飾体３５は右回転センサ８１の検知領域から退出した一方、左装飾体３４が初期回転位置から回転しなかった場合を例に（図４７（ａ））、回転正転リトライ処理を説明する。尚、図４７では、図面を見易くする都合、互いに離隔した右装飾体３５と左装飾体３４を図示する（図４９も同様）。
【０１８３】
ＣＰＵ５８１は、回転モータ３８３を１０８パルス分逆回転する（Ｓ５５１）。これにより、右装飾体３５と左装飾体３４はいずれも初期回転位置まで戻る（図４７（ｂ）参照）。尚、回転モータ３８３の逆転駆動量が１０８パルス分になる前に、右装飾体３５と左装飾体３４が初期回転位置に到達する場合、ＣＰＵ５８１はその瞬間に回転モータ３８３の駆動制御を停止する（Ｓ５５１）。更に、回転正転リトライ処理の開始時に左装飾体３４が初期回転位置にある場合には、回転直後に左回転モータ２８３に過度に高いトルク負荷がかかり、ＣＰＵ５８１は左回転モータ２８３の回転駆動を停止する（Ｓ５５１）。高い負荷トルクがかかった場合の左回転モータ２８３の停止方法は、Ｓ１２３（図２３参照）と同様である。
【０１８４】
ＣＰＵ５８１は、回転センサ３８１がＯＦＦ状態になるまで回転モータ３８３を正転駆動する（Ｓ５５３）。右装飾体３５と左装飾体３４は、正常に動作する場合、正面視で反時計回りに回転し、回転センサ３８１の検知領域から退出した位置で停止する（図４７（ｃ）参照）。ＣＰＵ５８１は、回転センサ３８１がＯＦＦ状態になったか否かを判断する（Ｓ５５５）。Ｓ５５３の実行時に正常な動作が実行されなかった場合、右装飾体３５と左装飾体３４の少なくとも一方は、回転センサ３８１の検知領域内にある（Ｓ５５５：ＮＯ）。ＣＰＵ５８１は、リトライフラグを１に上書きし、モータ情報を上書きする（Ｓ５５７）。Ｓ５５７における上書き後のモータ情報は、右回転モータ８３と左回転モータ２８３の少なくとも一方のモータと、正転方向である。ＣＰＵ５８１は、処理をＳ４１１（図３９参照）に移行する。
【０１８５】
Ｓ５５３の実行時に正常な動作が実行された場合、右装飾体３５と左装飾体３４は、回転センサ３８１の検知領域から退出する（Ｓ５５５：ＹＥＳ）。ＣＰＵ５８１は、回転モータ３８３を１００パルス分正転駆動し（Ｓ５５９）、右装飾体３５と左装飾体３４を作動回転位置まで回転させる（図４７（ｄ）参照）。ＣＰＵ５８１は、ＲＡＭ５８２に記憶のカウンタ値をリセットする（Ｓ５６１）。Ｓ５６１でリセットされるカウンタ値は、右回転モータ８３の正転方向のカウンタ値と、左回転モータ２８３の正転方向のカウンタ値である。ＣＰＵ５８１はリトライフラグを０に上書きし（Ｓ５６３）、処理をＳ２２１（図２６参照）に移行する。
【０１８６】
Ｓ５６３の終了時、右装飾体３５と左装飾体３４は互いの可動範囲に進入している。しかしながら、復帰処理（図２６参照）では、右復帰処理（Ｓ２２１）と左復帰処理（Ｓ２２３）が略同じタイミングで実行され、略同じタイミングで右装飾体３５と左装飾体３４は初期回転位置に向けた回転動作を行う。従って、復帰処理の実行時、右装飾体３５と左装飾体３４は互いに接触することなく初期状態に復帰できる。
【０１８７】
＜１０−６.回転逆転リトライ処理＞
図４８、図４９を参照し、回転逆転リトライ処理を説明する。例えば、図２４で示される回転処理のＳ１５１、Ｓ１５３、Ｓ１４３が順に実行される時、回転逆転リトライ処理は実行される。以下、Ｓ１５１が実行された場合に、右装飾体３５は右回転センサ８１の検知領域に進入した一方、左装飾体３４が左回転センサ２８１の検知領域に進入しなかった場合を例に（図４９（ａ））、回転逆転リトライ処理を説明する。
【０１８８】
ＣＰＵ５８１は、回転モータ３８３を１０８パルス分正転駆動し（Ｓ５３１）、右装飾体３５と左装飾体３４を作動回転位置まで回転させる（図４９（ｂ）参照）。回転モータ３８３が１０８パルス分正転駆動する前に、右装飾体３５と左装飾体３４が作動回転位置に到達した時、回転モータ３８３のモータ負荷が急増することを契機に、ＣＰＵ５８１は回転モータ３８３を駆動停止する（Ｓ５３１）。
【０１８９】
ＣＰＵ５８１は、回転センサ３８１がＯＮ状態になるまで、回転モータ３８３を逆転駆動する（Ｓ５３３）。ＣＰＵ５８１は、回転センサ３８１がＯＮ状態になったか否かを判断する（Ｓ５３５）。Ｓ５３３の実行時に正常な動作が実行されない場合、右装飾体３５と左装飾体３４は、回転センサ３８１の検知領域に進入しない（Ｓ５３５：ＮＯ）。ＣＰＵ５８１は、リトライフラグを１に上書きし、モータ情報を上書きする（Ｓ５３７）。Ｓ５３７における上書き後のモータ情報は、右回転モータ８３と左回転モータ２８３の少なくとも一方が逆転方向していたことを示す情報である。ＣＰＵ５８１は処理をＳ４１１（図３９参照）に移行する。
【０１９０】
Ｓ５３３の実行時に正常な動作が実行される場合、右装飾体３５と左装飾体３４は回転センサ３８１の検知領域に進入する（図４９（ｃ）参照）。ＣＰＵ５８１は、回転モータ３８３を８パルス分逆転駆動して（Ｓ５３９）、右装飾体３５と左装飾体３４を初期回転位置まで回転させる（図４９（ｄ）参照）。ＣＰＵ５８１は、ＲＡＭ５８２に記憶のカウンタ値をリセットする（Ｓ５４１）。Ｓ５４１でリセットされるカウンタ値は、右回転モータ８３の逆転方向のカウンタ値と、左回転モータ２８３の逆転方向のカウンタ値である。ＣＰＵ５８１は、リトライフラグを０に上書きして（Ｓ５４３）、処理をＳ２２１（図２６参照）に移行する。復帰処理が実行されることで、右装飾体３５と左装飾体３４は初期状態に復帰する。
【０１９１】
＜１０−７.右直動正転リトライ処理＞
図５０、図５１を参照し、右直動正転リトライ処理を説明する。右直動正転リトライ処理は、例えば、図１４で示される第一演出処理のＳ１７、Ｓ１９が順に実行される時、又は、図１９で示される直動開始処理のＳ６５が実行される時に、開始される。以下、Ｓ６５が実行された時に左装飾体３４は左近接センサ２６２の検知領域に進入する一方で、右装飾体３５は右近接センサ６２の検知領域まで到達しない場合を例に（図５１（ａ）参照）説明する。
【０１９２】
ＣＰＵ５８１は、右直動モータ６３を一定パルス（１６３パルス）分逆転駆動させる（Ｓ６０１）。これにより、右装飾体３５は離隔位置まで移動する（図５１（ｂ）参照）。右直動センサ６１が１６３パルス分逆転駆動する前に右装飾体３５が離隔位置に到達する場合、ＣＰＵ５８１は、右装飾体３５が離隔位置に到達した瞬間に右直動モータ６３の逆転駆動を停止する（Ｓ６０１）。右直動センサ６１の停止方法は、Ｓ１２３（図２３参照）と同様である。
【０１９３】
Ｓ６０１の実行後、ＣＰＵ５８１は、右近接センサ６２がＯＮ状態になるまで、右直動モータ６３を正転駆動させる（Ｓ６０３）。これにより、正常に動作が実行される場合には、右装飾体３５は近接位置の手前まで移動する（図５１（ｃ）参照）。ＣＰＵ５８１は、右近接センサ６２がＯＮ状態であるか否かを判断する（Ｓ６０５）。右装飾体３５が正常に動作しなかった場合、右近接センサ６２はＯＦＦ状態である（Ｓ６０５：ＮＯ）。ＣＰＵ５８１は、リトライフラグを１に上書きして、モータ情報を上書きする（Ｓ６０７）。Ｓ６０７における上書き後のモータ情報は、「右直動モータ、正転方向」である。ＣＰＵ５８１は処理をＳ４１１（図３９参照）に移行する。
【０１９４】
Ｓ６０３の実行時に右装飾体３５が正常に動作した場合、右近接センサ６２はＯＮ状態である（Ｓ６０５：ＹＥＳ）。ＣＰＵ５８１は、右直動モータ６３を２８パルス分正転駆動する（Ｓ６０９）。右装飾体３５は、近接位置に到達する（図５１（ｄ）参照）。ＣＰＵ５８１は、ＲＡＭ５８２に記憶のカウンタ値をリセットする（Ｓ６１１）。Ｓ６１１においてリセットされるカウンタ値は、右直動モータ６３の正転方向のカウンタ値である。ＣＰＵ５８１はリトライフラグを０に上書きし（Ｓ６１３）、処理をＳ２２１（図２６参照）に移行する。復帰処理が実行されることで、右装飾体３５と左装飾体３４は初期状態に復帰する。
【０１９５】
＜１０−８.右直動逆転リトライ処理＞
図５２、図５３を参照し、右直動逆転リトライ処理を説明する。右直動逆転リトライ処理は、例えば、図１６で示される直動終了処理のＳ３５、Ｓ３７、Ｓ３９が順に実行される時に開始される。以下、Ｓ３５、Ｓ３７、Ｓ３９が順に実行される時に、左装飾体３４は正常に左近接センサ２６２の検知領域に進入する一方、右装飾体３５は右近接センサ６２の検知領域に進入しなかった場合を例に（図５３（ａ）参照）、右直動逆転リトライ処理を説明する。
【０１９６】
ＣＰＵ５８１は、右直動モータ６３を１６３パルス分正転駆動し（Ｓ６１１）、右装飾体３５を近接位置まで移動させる（図５３（ｂ）参照）。右直動モータ６３の正転駆動量が１６３パルス分の駆動量に達する前に、右装飾体３５が近接位置に到達した場合、ＣＰＵ５８１はその瞬間に右直動モータ６３を駆動停止する（Ｓ６１１）。ＣＰＵ５８１は、右近接センサ６２の検知結果を取得することで、右装飾体３５が近接位置に到達したか否かを判断できる。
【０１９７】
ＣＰＵ５８１は、右直動センサ６１がＯＮ状態になるまで右直動モータ６３を逆転駆動する（Ｓ６１３）。右装飾体３５は、正常に動作する場合、離隔位置の手前まで移動する（図５３（ｃ）参照）。ＣＰＵ５８１は、右直動センサ６１がＯＮ状態であるか否かを判断する（Ｓ６１５）。Ｓ６１３で正常な動作が実行されなかった場合、右装飾体３５は右直動センサ６１の検知領域に到達しない（Ｓ６１５：ＮＯ）。ＣＰＵ５８１は、リトライフラグを１に上書きし、モータ情報を上書きする（Ｓ６１７）。Ｓ６１７における上書き後のモータ情報は、「右直動モータ、逆転方向」である。ＣＰＵ５８１は処理をＳ４１１（図３９参照）に移行する。
【０１９８】
Ｓ６１３で正常な動作が実行された場合、右装飾体３５は右直動センサ６１の検知領域に進入する（Ｓ６１５：ＹＥＳ）。ＣＰＵ５８１は、右直動モータ６３を３０パルス分逆転駆動して（Ｓ６１９）、右装飾体３５は離隔位置まで移動する（図５３（ｄ）参照）。ＣＰＵ５８１は、ＲＡＭ５８２に記憶のカウンタ値をリセットする（Ｓ６２１）。Ｓ６２１でリセットされるカウンタ値は、右直動モータ６３の逆転方向のカウンタ値である。ＣＰＵ５８１はリトライフラグを０に上書きし（Ｓ６２３）、処理をＳ２２１（図２６参照）に移行する。復帰処理が実行されることで、右装飾体３５と左装飾体３４は初期状態に復帰する。
【０１９９】
＜１０−９.連続リトライ処理＞
図３９を参照し、連続リトライ処理が実行される場合を説明する。例えば、図４１で示されるＳ４９７、図４３で示されるＳ４７９、図４６で示されるＳ５５７、図４８で示されるＳ５３７、等が実行されることで、リトライフラグが１に上書きされる（Ｓ４１１：ＹＥＳ）。ＣＰＵ５８１は、カウンタ加算処理を実行する（Ｓ４５３）。カウンタ加算処理は、モータ情報に示される情報に対応するカウンタを１加算する処理である。例えば、モータ情報が、「右昇降モータ、正転方向」と「左昇降モータ、正転方向」であるならば、ＣＰＵ５８１は、右昇降モータ１０３の正転方向のカウンタと、左昇降モータ２０３の正転方向のカウンタをそれぞれ１加算する（Ｓ４５３）。
【０２００】
ＣＰＵ５８１は、カウンタ記憶領域５８２Ｄに記憶されるいずれかのカウンタが５以上であるか否かを判断する（Ｓ４５５）。５以上のカウンタがない場合（Ｓ４５５：ＮＯ）、ＣＰＵ５８１はそのままリトライ処理を終了する。その後、復帰処理が終了し、別のタイミングで復帰処理が再度開始されることとなる。５以上のカウンタがある場合（Ｓ４５５：ＹＥＳ）、ＣＰＵ５８１は画像表示装置２８に「エラー発生」と異常報知させ（Ｓ４５７）、リトライ処理を終了する。この場合、ホールスタッフは、パチンコ機１の製造業者に保守作業を依頼することとなる。
【０２０１】
＜１１．効果、変形例＞
以上説明したように、右昇降復帰処理（図３０参照）が開始された場合、右装飾体３５が正常に上昇しないと（Ｓ２８１：ＮＯ）、左装飾体３４が作動位置に配置されるかないかに関わらず、リトライ処理（Ｓ２９９）が開始されて、昇降逆転リトライ処理（図４３参照）が実行される。昇降逆転リトライ処理では、作動位置から外れている右装飾体３５が作動位置に向けて上下動するのみならず、左装飾体３４も作動位置まで上下動する。例えば、右装飾体３５が上下動する間に左装飾体３４が停止している場合、右装飾体３５の上下動に伴う振動等によって、左装飾体３４の上下位置がずれる虞がある。しかしながら本実施形態ではそのような虞もない。よって、昇降逆転リトライ処理の実行後に、右装飾体３５と左装飾体３４がいずれも作動位置に配置され易いパチンコ機１が実現する。
【０２０２】
近接センサ３６２がＯＮ状態である場合に（図３９のＳ４１９：ＹＥＳ）、右装飾体３５と左装飾体３４が互いに接触しうる位置関係にある。この時に、ＣＰＵ５８１は、昇降逆転リトライ処理（Ｓ４２５）を実行し、右装飾体３５と左装飾体３４は互いに同じ方向へ同じタイミングで動作する。これにより、停止している左装飾体３４に右装飾体３５が接触しにくいので、右装飾体３５の上下動は阻害されにくくなる。
【０２０３】
近接センサ３６２がＯＮ状態の場合（図３９のＳ４１９：ＹＥＳ）、ＣＰＵ５８１は、昇降正転リトライ処理（Ｓ４２３）又は昇降逆転リトライ処理（Ｓ４２５）を実行して、右装飾体３５と左装飾体３４を同じ方向へ同じタイミングで移動させる。これにより、パチンコ機１は、右装飾体３５と左装飾体３４の互いの接触を抑制できる。一方、近接センサ３６２がＯＦＦ状態の場合（Ｓ４１９：ＮＯ）、ＣＰＵ５８１は、特定昇降リトライ処理（Ｓ４２７）を実行し、ＣＰＵ５８１は、右装飾体３５と左装飾体３４を同時に動作させることはない。これにより、パチンコ機１は、消費電力を低減できる。パチンコ機１は、昇降正転リトライ処理（Ｓ４２３）及び昇降逆転リトライ処理（Ｓ４２５）と、特定昇降リトライ処理（Ｓ４２７）とを使い分ける。よって、パチンコ機１は、右装飾体３５と左装飾体３４を作動位置に配置させる処理をより多様化でき、状況に応じて適切なリトライ処理を実行できる。
【０２０４】
右移動部材６８は、右装飾体３５を上下動可能に支持すると共に左右方向に移動可能である。ＣＰＵ５８１は、昇降逆転リトライ処理（Ｓ４２５）の実行時、直動モータ３６３を駆動停止状態にする。よって、ＣＰＵ５８１は、昇降逆転リトライ処理の実行時、右装飾体３５と左装飾体３４を安定的に上下動させることができる。
【０２０５】
以上説明にて、パチンコ機１は本発明の「遊技機」の一例である。右装飾体３５は本発明の「第一可動体」の一例である。左装飾体３４は本発明の「第二可動体」の一例である。右移動部材６８は本発明の「第三可動体」の一例である。昇降モータ３０３と直動モータ３６３は本発明の「駆動手段」の一例である。上被検知物１０４は本発明の「第一被検知体」の一例である。右昇降センサ１２４の検知領域は本発明の「第一検知領域」の一例である。左演出装置３２の上被検知物は本発明の「第二被検知体」の一例である。左昇降センサ２２４の検知領域は本発明の「第二検知領域」の一例である。昇降センサ３２４のＯＮ信号とＯＦＦ信号は、本発明の「検知情報」の一例である。右復帰処理の右昇降復帰処理は本発明の「特定処理」の一例である。昇降逆転リトライ処理は本発明の「第一リトライ処理」の一例である。右装飾体３５の作動位置は本発明の「第一初期位置」の一例である。左装飾体３４の作動位置は本発明の「第二初期位置」の一例である。特定昇降リトライ処理は本発明の「第二リトライ処理」の一例である。Ｓ２４３を実行するＣＰＵ５８１は本発明の「復帰制御手段」の一例である。Ｓ４２５、Ｓ４２７を実行するＣＰＵ５８１は本発明の「リトライ制御手段」の一例である
【０２０６】
本発明は、上記実施例に限定されない。右昇降復帰処理（図３０参照）のＳ２７５において、ＣＰＵ５８１が右昇降モータ１０３を正転駆動させるような制御処理システムが採用されてもよい。この場合、Ｓ２９９の開始後、昇降逆転リトライ処理（Ｓ４２５）に代えて、昇降正転リトライ処理（Ｓ４２３）が実行される。
【０２０７】
上記実施形態の復帰処理では、右装飾体３５が初期状態にある場合、右装飾体３５が動作することなく復帰処理は終了する。しかしながら、復帰処理は、初期状態にある右装飾体３５をいったん所定の位置まで移動させてから再び初期状態に復帰させる処理であってもよい。
【０２０８】
ＣＰＵ５８１は、図３９のＳ４２９の実行後且つＳ４３１の実行前に、直動センサ３６１がＯＮ状態であるか否かを判断してもよい。そして、直動センサ３６１がＯＦＦ状態でなければ（即ち右装飾体３５と左装飾体３４が互いに干渉し得る位置関係であれば）Ｓ４３１を実行し、直動センサ３６１がＯＮ状態であれば、右装飾体３５と左装飾体３４のいずれか一方のみを左右動させる処理（即ち特定昇降リトライ処理に類似する処理）を実行してもよい。直動センサ３６１がＯＮ状態であれば、右装飾体３５と左装飾体３４は干渉し得ないからである。
【０２０９】
上記実施例では、右昇降復帰処理（図３０参照）の開始後に、リトライ処理（Ｓ２９９）が実行される。即ち、左復帰処理（図２６のＳ２２３）が実行されることなくリトライ処理が実行される。しかしながら、Ｓ２９９の実行タイミングは、左復帰処理（Ｓ２１３）の終了後であってもよい。
【０２１０】
右落下センサ１２６は右ラック１０５に設けられてもよい。この場合、下被検知物１０７は右移動部材６８に設けられる。右上昇センサ１２５は、右昇降体１０２に設けられてもよい。この場合、上被検知物１０４は、右移動部材６８に設けられる。上記のような構成であっても、右落下センサ１２６と右上昇センサ１２５の検知結果に基づき、ＣＰＵ５８１は右昇降モータ１０３を駆動制御し、右装飾体３５の上下方向位置を正確に制御できる。
【０２１１】
右回転被検知物６９は、枠状筐体３３に固定されてもよい。この場合、右直動センサ６１は、右アーム６５に設けられればよい。右直動被検知物６７は、枠状筐体３３に固定されてもよい。この場合、右近接センサ６２は、右移動部材６８の上端部６６に設けられてもよい。
【０２１２】
また、請求項、明細書および図面に記載される全ての要素（例えば、大入賞口、第一特別図柄始動電動役物１４等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。 
【０２１３】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０２１４】
１        パチンコ機
３４    左装飾体
３５    右装飾体
３０３  昇降モータ
３２４  昇降センサ
５８１  ＣＰＵ
【図１】
2019122433.tif 000003
【図２】
2019122433.tif 000004
【図３】
2019122433.tif 000005
【図４】
2019122433.tif 000006
【図５】
2019122433.tif 000007
【図６】
2019122433.tif 000008
【図７】
2019122433.tif 000009
【図８】
2019122433.tif 000010
【図９】
2019122433.tif 000011
【図１０】
2019122433.tif 000012
【図１１】
2019122433.tif 000013
【図１２】
2019122433.tif 000014
【図１３】
2019122433.tif 000015
【図１４】
2019122433.tif 000016
【図１５】
2019122433.tif 000017
【図１６】
2019122433.tif 000018
【図１７】
2019122433.tif 000019
【図１８】
2019122433.tif 000020
【図１９】
2019122433.tif 000021
【図２０】
2019122433.tif 000022
【図２１】
2019122433.tif 000023
【図２２】
2019122433.tif 000024
【図２３】
2019122433.tif 000025
【図２４】
2019122433.tif 000026
【図２５】
2019122433.tif 000027
【図２６】
2019122433.tif 000028
【図２７】
2019122433.tif 000029
【図２８】
2019122433.tif 000030
【図２９】
2019122433.tif 000031
【図３０】
2019122433.tif 000032
【図３１】
2019122433.tif 000033
【図３２】
2019122433.tif 000034
【図３３】
2019122433.tif 000035
【図３４】
2019122433.tif 000036
【図３５】
2019122433.tif 000037
【図３６】
2019122433.tif 000038
【図３７】
2019122433.tif 000039
【図３８】
2019122433.tif 000040
【図３９】
2019122433.tif 000041
【図４０】
2019122433.tif 000042
【図４１】
2019122433.tif 000043
【図４２】
2019122433.tif 000044
【図４３】
2019122433.tif 000045
【図４４】
2019122433.tif 000046
【図４５】
2019122433.tif 000047
【図４６】
2019122433.tif 000048
【図４７】
2019122433.tif 000049
【図４８】
2019122433.tif 000050
【図４９】
2019122433.tif 000051
【図５０】
2019122433.tif 000052
【図５１】
2019122433.tif 000053
【図５２】
2019122433.tif 000054
【図５３】
2019122433.tif 000055